(57)【要約】記録用画像の撮影時に、表示部のブラックアウトを回避する表示制御を行う装置、方法を提供する。撮像素子と、フレームメモリと、表示部と、制御部を有し、制御部は、撮像装置に対する撮影操作の入力検出に応じて、記録用画像の露光準備処理を開始し、露光準備処理の完了後に撮像素子における記録用画像の露光処理と、記録用画像のフレームメモリへの格納処理を実行する。さらに、制御部は、露光準備処理の開始に伴い、撮像素子の表示用画像の露光を停止させ、記録用画像が表示可能となるまで、表示部に表示用画像を表示してブラックアウトを回避する。
2018179711.tif 000002
【特許請求の範囲】
【請求項１】
撮像素子と、
前記撮像素子が取得する表示用画像を格納するフレームメモリと、
前記フレームメモリが格納する前記表示用画像を表示する表示部と、
撮像操作の入力検出に応じて、記録用画像の露光準備処理を開始し、前記記録用画像の表示が可能となるまで、前記フレームメモリに格納済みの前記表示用画像を前記表示部に表示させる表示制御を行う制御部と、
を備える撮像装置。
【請求項２】
前記制御部は、前記記録用画像の露光準備処理の完了後に、前記撮像素子における前記記録用画像の露光処理と、該露光処理によって取得した前記記録用画像の前記フレームメモリへの格納処理を実行する請求項１に記載の撮像装置。
【請求項３】
前記制御部は、
前記記録用画像の露光処理、および前記記録用画像の前記フレームメモリへの格納処理の終了後、前記表示部の表示画像を前記表示用画像から前記記録用画像の表示に切り換える請求項２に記載の撮像装置。
【請求項４】
前記制御部は、
前記撮影操作の入力検出時に前記記録用画像の露光準備処理を開始するとともに、前記撮像素子における前記表示用画像の露光処理を停止させる請求項１に記載の撮像装置。
【請求項５】
前記制御部は、
前記撮影操作の入力検出時に前記撮像素子において露光中の前記表示用画像の露光完了に要する時間を待機する待機処理を実行し、待機完了後に前記記録用画像の露光準備処理を開始するとともに、
前記記録用画像の表示が可能となるまで、前記待機処理の間に露光され、前記フレームメモリに格納済みの前記表示用画像を前記表示部に表示させる表示制御を行う請求項１に記載の撮像装置。
【請求項６】
前記制御部は、
前記撮影操作の入力検出時から、１枚の表示用画像フレームの露光処理の完了に要する時間を待機する待機処理を実行し、待機処理後に前記記録用画像の露光準備処理を開始するとともに、
前記記録用画像の表示が可能となるまで、前記待機処理の間に露光され、前記フレームメモリに格納済みの前記表示用画像を前記表示部に表示させる表示制御を行う請求項１に記載の撮像装置。
【請求項７】
前記制御部は、
前記撮影操作の入力検出に応じて、前記撮影操作の入力前に実行済みの最新の表示予約処理をキャンセルする処理を行い、
キャンセル対象の表示予約処理以前の表示予約処理に対応して実行される前記表示部に対する表示用画像の表示処理を、前記記録用画像が表示可能となるまで継続することで前記表示部のブラックアウトを回避する表示制御を行う請求項１に記載の撮像装置。
【請求項８】
前記フレームメモリは、２つの画像フレームを格納可能な２つのフレームメモリを有する構成であり、
前記制御部は、
前記撮影操作の入力検出に応じて、前記２つのフレームメモリのいずれか一方のフレームメモリに格納された最新の表示用画像を、他方のフレームメモリにコピーして格納する処理を実行し、
前記記録用画像が表示可能となるまで、同一の表示用画像を前記２つのフレームメモリから交互に読み出して、前記表示部に表示することで前記表示部のブラックアウトを回避する表示制御を行う請求項１に記載の撮像装置。
【請求項９】
前記制御部は、
前記撮影操作に応じて前記撮像素子において実行される露光期間が、予め設定したしきい値以上であるか否かを判定し、
しきい値以上でないと判定した場合に、前記表示部のブラックアウトを回避する表示制御を行う請求項１に記載の撮像装置。
【請求項１０】
前記制御部は、
前記撮影操作に応じて前記撮像素子において実行される露光期間が、予め設定したしきい値以上であるか否かを判定し、
しきい値以上であると判定した場合は、前記表示部に、ブラックアウトを発生させる表示制御を行う請求項９に記載の撮像装置。
【請求項１１】
前記制御部は、
前記記録用画像の露光処理およびフレームメモリ格納処理の終了後、前記表示部をブラックアウト状態から前記記録用画像の表示に切り換える請求項１０に記載の撮像装置。
【請求項１２】
前記撮像素子は、
前記撮像素子の出力信号に対するＡＤ変換処理を実行するＡＤ変換部と、
前記ＡＤ変換部の生成したデジタル信号を格納するフレームメモリを構成要素とする撮像デバイス内に構成されている請求項１に記載の撮像装置。
【請求項１３】
撮像装置において実行する画像処理方法であり、
前記撮像装置は、
撮像素子と、
前記撮像素子による取得画像を格納するフレームメモリと、
前記フレームメモリの格納画像を表示する表示部と、
撮像装置において実行する処理の制御を行う制御部を有し、
前記制御部が、
撮影操作の入力検出に応じて、記録用画像の露光準備処理を開始し、前記記録用画像の表示が可能となるまで、前記フレームメモリに格納済みの表示用画像を前記表示部に表示させる表示制御を行う画像処理方法。
【請求項１４】
撮像装置において画像処理を実行させるプログラムであり、
前記撮像装置は、
撮像素子と、
前記撮像素子による取得画像を格納するフレームメモリと、
前記フレームメモリの格納画像を表示する表示部と、
撮像装置において実行する処理の制御を行う制御部を有し、
前記プログラムは、前記制御部に、
撮像操作の入力検出に応じて、記録用画像の露光準備処理を開始させ、前記記録用画像の表示が可能となるまで、前記フレームメモリに格納済みの前記表示用画像を前記表示部に表示させる表示制御を行わせるプログラム。
【発明の詳細な説明】
【技術分野】
【０００１】
本開示は、撮像装置、および画像処理方法、並びにプログラムに関する。特に、撮像装置の表示部の表示画像制御を行う撮像装置、および画像処理方法、並びにプログラムに関する。
【背景技術】
【０００２】
カメラ（撮像装置）を用いて画像撮影を行う場合、多くのユーザ（撮影者）はカメラのＬＣＤ表示部やＥＶＦ（ｅｌｅｃｔｒｉｃ  ｖｉｅｗｆｉｎｄｅｒ）等の表示部に表示された画像を確認する。
例えば、ユーザ（撮影者）は、この表示部に表示される画像を観察して、撮影タイミングを決定して、レリーズボタン（シャッターボタン）を押下することができる。
また、ユーザ（撮影者）は、撮影した画像を表示部に表示して、撮影画像の確認を行うことができる。【０００３】
撮影を行っていない場合、撮像装置の表示部には、撮像装置の撮像素子に入射している現在の画像、すなわちライブビュー画像（ＬＶ画像）が表示される。ライブビュー画像（ＬＶ画像）はスルー画とも呼ばれ、ユーザ（撮影者）は、この表示部に表示されるライブビュー画像（ＬＶ画像）を確認して、撮影タイミングを決定することができる。【０００４】
ユーザ（撮影者）が撮影処理を行う場合、レリーズボタン（シャッターボタン）を押下する。このレリーズボタン操作処理に伴い、例えば撮像素子のモード切り換え等の露光準備処理が開始される。【０００５】
しかし、多くの撮像装置では、この露光準備処理の開始により、撮像素子のライブビュー画像（ＬＶ画像）の撮像が停止され、この結果、表示部に何も表示されない期間が発生する。いわゆる表示部のブラックアウトが発生する。なお、表示部のブラックアウトについては、例えば、特許文献１（特開２０１５−１８６２３４号公報）等に記載がある。【０００６】
ブラックアウトが発生すると、ユーザ（撮影者）は表示画像の確認ができなくなる。
また、レリーズボタンの押下に伴い発生する表示部のブラックアウトが影響して、ユーザは、違和感や、操作ミスを行ったと勘違いする等の問題が発生する恐れがある。
【先行技術文献】
【特許文献】
【０００７】
【特許文献１】特開２００８−１８６２３４号公報
【発明の概要】
【発明が解決しようとする課題】
【０００８】
本開示は、例えば、上記の問題点に鑑みてなされたものであり、レリーズボタンの押下に伴い発生する表示部のブラックアウトによるユーザの違和感や、操作ミスを行ったと勘違いする等の問題の発生を防止可能とした撮像装置、および画像処理方法、並びにプログラムを提供することを目的とする。
【課題を解決するための手段】
【０００９】
本開示の第１の側面は、
撮像素子と、
前記撮像素子が取得する表示用画像を格納するフレームメモリと、
前記フレームメモリが格納する前記表示用画像を表示する表示部と、
撮像操作の入力検出に応じて、記録用画像の露光準備処理を開始し、前記記録用画像の表示が可能となるまで、前記フレームメモリに格納済みの前記表示用画像を前記表示部に表示させる表示制御を行う制御部と、
を備える撮像装置にある。【００１０】
さらに、本開示の第２の側面は、
撮像装置において実行する画像処理方法であり、
前記撮像装置は、
撮像素子と、
前記撮像素子による取得画像を格納するフレームメモリと、
前記フレームメモリの格納画像を表示する表示部と、
撮像装置において実行する処理の制御を行う制御部を有し、
前記制御部が、
撮影操作の入力検出に応じて、記録用画像の露光準備処理を開始し、前記記録用画像の表示が可能となるまで、前記フレームメモリに格納済みの表示用画像を前記表示部に表示させる表示制御を行う画像処理方法にある。【００１１】
さらに、本開示の第３の側面は、
撮像装置において画像処理を実行させるプログラムであり、
前記撮像装置は、
撮像素子と、
前記撮像素子による取得画像を格納するフレームメモリと、
前記フレームメモリの格納画像を表示する表示部と、
撮像装置において実行する処理の制御を行う制御部を有し、
前記プログラムは、前記制御部に、
撮像操作の入力検出に応じて、記録用画像の露光準備処理を開始させ、前記記録用画像の表示が可能となるまで、前記フレームメモリに格納済みの前記表示用画像を前記表示部に表示させる表示制御を行わせるプログラムにある。【００１２】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。【００１３】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００１４】
本開示の一実施例の構成によれば、記録用画像の撮影時に、表示部のブラックアウトを回避する表示制御を行う装置、方法が実現される。
具体的には、例えば、撮像素子と、フレームメモリと、表示部と、制御部を有し、制御部は、撮像装置に対する撮影操作の入力検出に応じて、記録用画像の露光準備処理を開始し、露光準備処理の完了後に撮像素子における記録用画像の露光処理と、記録用画像のフレームメモリへの格納処理を実行する。さらに、制御部は、露光準備処理の開始に伴い、撮像素子の表示用画像の露光を停止させ、記録用画像が表示可能となるまで、表示部に表示用画像を表示してブラックアウトを回避する。
これらの処理により、記録用画像の撮影時に、表示部のブラックアウトを回避する表示制御を行う装置、方法が実現される。
なお、本明細書に記載された効果はあくまで例示であって限定されるものではなく、また付加的な効果があってもよい。
【図面の簡単な説明】
【００１５】
【図１】撮像装置における画像の撮影、および表示処理におけるデータ処理シーケンスについて説明する図である。
【図２】撮像装置の表示部に表示用画像（ＬＶ画像）を表示する場合の処理シーケンスを説明するタイミングチャートを示す図である。
【図３】撮像装置の表示部に表示用画像（ＬＶ画像）を表示し、その間に、撮影処理を行い、記録用画像（ＣＡＰ画像）の記録処理を行った場合の処理シーケンスを説明するタイミングチャートを示す図である。
【図４】撮像装置の構成例について説明する図である。
【図５】実施例１に従った処理シーケンスを説明する図である。
【図６】撮影操作のタイミングによりレリーズタイムラグが変化してしまう問題点について説明する図である。
【図７】実施例２に従った処理シーケンスを説明する図である。
【図８】実施例３に従った処理シーケンスを説明する図である。
【図９】実施例４に従った処理シーケンスを説明する図である。
【図１０】実施例５に従った処理シーケンスを説明する図である。
【図１１】撮像装置の実行する処理シーケンスを説明するフローチャートを示す図である。
【図１２】撮像装置の構成例について説明する図である。
【発明を実施するための形態】
【００１６】
以下、図面を参照しながら本開示の撮像装置、および画像処理方法、並びにプログラムの詳細について説明する。なお、説明は以下の項目に従って行う。
１．撮像装置における画像の撮影、および表示処理の概要について
２．本開示の撮像装置の構成例について
３．表示部のブラックアウトを防止した撮像装置の実施例について
３−１．（実施例１）表示用画像の露光完了後に露光準備処理を開始することで表示部のブラックアウトを防止した実施例
３−２．（実施例２）表示用画像の露光完了後、レリーズタイムラグを一定とするための待機時間経過後に露光準備処理を開始することで表示部のブラックアウトを防止した実施例
３−３．（実施例３）露光未完了画像の表示予約をキャンセルして、表示部の表示画像の継続表示を行うことで、表示部のブラックアウトを防止した実施例
３−４．（実施例４）フレームメモリ格納済み最新画像のフレームメモリ間コピーを行うことで、メモリ切り換え後も同一画像を表示部に継続表示させて、表示部のブラックアウトを防止した実施例
４．（実施例５）記録用画像（ＣＡＰ画像）の露光期間が規定時間以上であるか否かを判定し、判定結果に応じた表示制御を実行する実施例
５．撮像装置の実行する処理のシーケンスについて
６．その他の実施例について
７．本開示の構成のまとめ
【００１７】
［１．撮像装置における画像の撮影、および表示処理の概要について］
まず、図１以下を参照して、撮像装置（カメラ）における画像の撮影、および表示処理の概要について説明する。
図１には、撮像装置における以下の処理例を示している。
（１）撮影処理非実行時（ライブビュー画像（ＬＶ）表示処理実行時）のデータ処理例
（２）撮影処理実行時（キャプチャ画像（ＣＡＰ）記録処理実行時）のデータ処理例
【００１８】
なお、ライブビュー画像（ＬＶ）とは、撮像装置の表示部、例えばＬＣＤや、ＥＶＦ等、ユーザ（撮影者）が確認可能な表示部に表示される画像である。スルー画とも呼ばれ、撮影処理の実行、非実行に関わらず、継続的に表示部に表示される画像である。
一方、キャプチャ画像（ＣＡＰ）とは、ユーザ（撮影者）が、撮像装置のレリーズボタン（シャッターボタン）を操作することで撮影される画像である。キャプチャ画像（ＣＡＰ）は、撮像措置の記録部（メディア）に記録される。
【００１９】
なお、一般的に、キャプチャ画像（ＣＡＰ）は、撮像素子の画素数を反映した高画素数の高解像度画像として取得され、記録されるが、ライブビュー画像（ＬＶ）は、表示部の表示可能な画素数に合わせた低画素の画像として取得されて表示される。
すなわち、ライブビュー画像（ＬＶ）は、キャプチャ画像（ＣＡＰ）より低画素の画像となる。
【００２０】
図１に示す（１）撮影処理非実行時（ライブビュー画像（ＬＶ）表示処理実行時）のデータ処理例について説明する。
光学レンズ１１を介して入射される光は撮像部、例えばＣＭＯＳイメージセンサなどによって構成される撮像素子１２に入射し、光電変換による画像データを出力する。なお、この場合の出力画像は、表示部２１に表示するための表示用画像（ＬＶ画像）である。
【００２１】
以下において、表示部に表示するための画像を、表示用画像、またはＬＶ画像と呼び、一方、撮影記録用の画像を記録用画像、またはキャプチャ画像、またはＣＡＰ画像と呼ぶ。
【００２２】
撮像素子１２は、表示部に表示するための表示用画像（ＬＶ画像）を出力する際は、撮像素子の全画素データの出力を行うことなく、一部を間引いた低画素数の画像出力を行う。
撮影処理が実行された場合には、高画素数の記録用画像を生成する必要があるため、撮像素子のほぼ全画素データの出力を行う。
【００２３】
図１に示す（１）撮影処理非実行時（ライブビュー画像（ＬＶ）表示処理実行時）には、撮像素子１２は、低画素数の出力画像（ＬＶ画像）をＡＤ変換部１３に入力する。
ＡＤ変換部１３は、入力信号のＡ／Ｄ変換、すなわちアナログ信号をデジタル信号に変換する処理を実行して、変換後のデジタル値を、フレームメモリ１４に格納する。
【００２４】
フレームメモリ１４は、図に示す例では、２つの画像フレームを格納可能な構成を持つ。撮像素子１２の撮像画像は、第１フレームメモリ（ＦＭ１）と、第２フレームメモリ（ＦＭ２）に交互に格納される。
すなわち、フレームメモリ１４は、同時に２つの連続撮影された画像フレームを格納する。
【００２５】
フレームメモリ１４に格納された画像は、先行格納フレームから、順次、信号処理部（信号処理ＬＳＩ）１５に出力される。
すなわち、第１フレームメモリ（ＦＭ１）と、第２フレームメモリ（ＦＭ２）から、交互に撮影順に従って、順次、信号処理部（信号処理ＬＳＩ）１５に出力される。
【００２６】
信号処理部１５は、例えばホワイトバランス（ＷＢ）調整、ガンマ補正等、一般的なカメラにおける信号処理を実行して出力画像、すなわち、表示部２１に表示するための画像（ＬＶ画像）を生成してメモリ１６に格納する。
【００２７】
表示部２１は、メモリ１６に格納されたＬＶ画像を表示する。
表示部２１は、例えばＬＣＤやＥＶＦ等によって構成され、撮影者が確認することができる。
【００２８】
次に、図１に示す（２）撮影処理実行時（キャプチャ画像（ＣＡＰ）記録処理実行時）のデータ処理例について説明する。
撮影者が、レリーズボタン（シャッターボタン）を操作（押下）すると、この（２）の処理が行われることになる。
【００２９】
撮影者が、レリーズボタン（シャッターボタン）を操作（押下）すると、光学レンズ１１を介して入射される光は撮像部、例えばＣＭＯＳイメージセンサなどによって構成される撮像素子１２に入射し露光処理が開始される。
【００３０】
ただし、レリーズボタン（シャッターボタン）を押下後、撮像素子１２における露光処理が開始されるまでには一定の時間間隔、すなわち、レリーズラグ（レリーズタイムラグ）がある。
レリーズラグは、カメラによって多少の差はあるが、多くのカメラにおいて、約１５ｍｓｅｃ〜３０ｍｓｅｃの時間となる。
【００３１】
撮像素子１２における露光処理が終了すると、撮像素子１２は、光電変換による画像データをＡＤ変換部１３に出力する。なお、この場合の出力画像は、記録部２２に記録、保存するための記録用画像（ＣＡＰ画像）である。
【００３２】
記録用画像（ＣＡＰ画像）は、撮像素子１２の画素数を反映した高画素の画像である。（１）を参照して説明した表示用画像（ＬＶ画像）より画素数の多い高画素画像となる。
図１では、（１）に示すＬＶ画像の矢印を細く、（２）に示すＣＡＰ画像の矢印を太く示し、画素数の高低を矢印の太さで示している。
【００３３】
ＡＤ変換部１３は、入力信号のＡ／Ｄ変換、すなわちアナログ信号をデジタル信号に変換する処理を実行して、変換後のデジタル値を、フレームメモリ１４に格納する。
【００３４】
撮像素子１２の撮像画像は、第１フレームメモリ（ＦＭ１）と、第２フレームメモリ（ＦＭ２）に交互に格納される。
フレームメモリ１４に格納された画像は、先行格納フレームから、順次、信号処理部（信号処理ＬＳＩ）１５に出力される。
すなわち、第１フレームメモリ（ＦＭ１）と、第２フレームメモリ（ＦＭ２）から、交互に撮影順に従って、順次、信号処理部（信号処理ＬＳＩ）１５に出力される。
【００３５】
信号処理部１５は、例えばホワイトバランス（ＷＢ）調整、ガンマ補正等、一般的なカメラにおける信号処理を実行して出力画像を生成する。
この場合、信号処理部１５は、記録部２２に格納するための高画素の記録用画像（ＣＡＰ画像）を生成するとともに、さらに、表示部２１に表示するための表示用画像（ＬＶ画像）も併せて生成してメモリ１６に格納する。表示用画像（ＬＶ画像）は、例えば、高画素画像である記録用画像（ＣＡＰ画像）の間引き処理によって生成される低画素画像である。
【００３６】
記録部２２には、メモリ１６に格納された高画素の記録用画像（ＣＡＰ画像）を格納する。
一方、表示部２１は、メモリ１６に格納された低画素の表示用画像（ＬＶ画像）を表示する。
以上が、撮像装置における撮影実行時と非実行時の処理の概要である。
【００３７】
次に、これらの処理の時間的な流れについて、図２以下に示すタイミングチャートを参照して説明する。
図２は、ユーザ（撮影者）による撮影処理、すなわちレリーズボタン（シャッターボタン）の押下処理が行われていない期間における処理、すなわち、撮像装置の表示部に表示用画像（ＬＶ画像）が表示される場合の処理シーケンスを説明するタイミングチャートである。
左から右に時間が経過する。
【００３８】
図２には、以下の（ａ）〜（ｇ）の処理タイミングを個別に示している。
（ａ）撮像素子入力同期信号
（ｂ）撮像素子の露光処理とフレームメモリに対する出力
（ｃ１）第１フレームメモリ（ＦＭ１）の格納画像
（ｃ２）第２フレームメモリ（ＦＭ２）の格納画像
（ｄ）撮影操作（レリーズ（シャッター）操作）
（ｅ）制御部の処理
（ｆ）表示部入力同期信号
（ｇ）表示部表示画像
【００３９】
（ａ）撮像素子入力同期信号は、撮像装置の制御部の制御によって撮像素子１２に入力される同期信号である。本例では１６．７ｍｓｅｃごとの同期信号が、撮像素子１２に入力される設定である。
撮像素子１２は、この同期信号の入力に応じて、様々な処理の開始や、処理の切り換え等の実行する処理の更新を行う。
【００４０】
（ｂ）撮像素子の露光処理とフレームメモリに対する出力は、撮像素子１２における露光処理と、露光結果に対するＡＤ変換後の画像のフレームメモリ１４に対する格納処理を示す。
図に示すＬＶ１、ＬＶ２、ＬＶ３・・は、表示部２１に表示する表示用画像（ＬＶ画像）の露光処理を示している。
これらの各画像の露光処理は、１６．７ｍｓｅｃごとの同期信号ごとに実行される。
【００４１】
（ｃ１）第１フレームメモリ（ＦＭ１）の格納画像
（ｃ２）第２フレームメモリ（ＦＭ２）の格納画像
これらは、フレームメモリ１４の２つのメモリ部である第１フレームメモリ（ＦＭ１）と、第２フレームメモリ（ＦＭ２）の格納画像のシーケンスを示している。
【００４２】
前述したように、第１フレームメモリ（ＦＭ１）と、第２フレームメモリ（ＦＭ２）には、撮像素子１２の撮影画像が、交互に格納される。
図に示す例では、まず、最初の表示用画像（ＬＶ１）が、第１フレームメモリ（ＦＭ１）に格納され、次の表示用画像（ＬＶ２）が、第２フレームメモリ（ＦＭ２）に格納される。
その後、表示用画像（ＬＶ３，ＬＶ４，ＬＶ５・・・）が、第１フレームメモリ（ＦＭ１）と、第２フレームメモリ（ＦＭ２）に交互に格納される。
【００４３】
（ｄ）撮影操作（レリーズ（シャッター）操作）は、ユーザ（撮影者）による撮影操作、すなわちレリーズボタン（シャッターボタン）の押下処理を示す。
図２は、ユーザ（撮影者）による撮影操作が行われていない場合の処理シーケンスであるので、撮影操作タイミングは図示していない。
なお、撮影処理が実行された場合の処理については、図３を参照して後段で説明する。
【００４４】
（ｅ）制御部の処理は、撮像装置の制御部において実行する制御処理のシーケンスを説明している。なお、先に説明した図１には制御部を示していないが、撮像装置は、例えば記憶部に格納されたプログラムに従って撮像装置の実行する処理の制御を行う制御部を有している。制御部は、図１に示す各構成部の実行する処理の制御を行う。
【００４５】
図２の（ｅ）制御部の処理には、制御部が実行する様々な処理の一部の処理を示している。図２には、主として表示部に表示する画像の制御に関する処理のシーケンスを示している。
図には、（ｅ）制御部の処理のシーケンスとしてＦＭ１，ＦＭ２，ＦＭ１，ＦＭ２，・・・の矩形ボックスを示している。
【００４６】
ＦＭ１は、第１フレームメモリ（ＦＭ１）に格納される最新画像の表示予約処理と、第１フレームメモリ（ＦＭ１）に格納された最新画像を表示部２１に表示する表示処理の制御を意味する。
ＦＭ２は、第２フレームメモリ（ＦＭ２）に格納される最新画像の表示予約処理と、第２フレームメモリ（ＦＭ２）に格納された最新画像を表示部２１に表示する表示処理の制御を意味する。
【００４７】
制御部は、（ｅ）制御部の処理のシーケンスに示すように、ＦＭ１，ＦＭ２，ＦＭ１，ＦＭ２，・・・、と各フレームメモリ対応の処理を交互に実行する。すなわち、
（１）第１フレームメモリ（ＦＭ１）に対する表示予約と、第１フレームメモリ（ＦＭ１）の格納画像の表示処理、
（２）第２フレームメモリ（ＦＭ２）に対する表示予約と、第２フレームメモリ（ＦＭ２）の格納画像の表示処理、
この（１），（２）の処理を交互に実行する。
この制御処理により、表示部２１には、フレームメモリ１４の第１フレームメモリ（ＦＭ１）と第２フレームメモリ（ＦＭ２）の格納画像が交互に表示されることになる。
【００４８】
（ｆ）表示部入力同期信号は、撮像装置の制御部の制御によって表示部２１に入力される同期信号である。表示部２１は、この同期信号の入力に応じて、表示画像の切り換え等の処理を行う。
（ｇ）表示部表示画像は、表示部２１に表示される画像を示したものである。
【００４９】
ＬＶ１，ＬＶ２・・は、表示画像の画像フレーム１，２に対応し、表示部入力同期信号の信号間隔で表示フレームが切り換えられることを意味する。すなわち、表示部２１には、ライブビュー画像（スルー画像）による動画像の表示がなされる。
【００５０】
次に、図３を参照して、ユーザ（撮影者）による撮影処理、すなわちレリーズボタン（シャッターボタン）の押下処理が行われた場合の処理、すなわち、撮像装置の表示部に表示用画像（ＬＶ画像）が表示されている期間に、ユーザ（撮影者）による撮影処理が実行され、撮影された記録用画像（ＣＡＰ画）を表示部に表示する場合の処理シーケンスについて説明する。
左から右に時間が経過する。
【００５１】
図３には、図２と同様、以下の（ａ）〜（ｇ）の処理タイミングを個別に示している。
（ａ）撮像素子入力同期信号
（ｂ）撮像素子の露光処理とフレームメモリに対する出力
（ｃ１）第１フレームメモリ（ＦＭ１）の格納画像
（ｃ２）第２フレームメモリ（ＦＭ２）の格納画像
（ｄ）撮影操作（レリーズ（シャッター）操作）
（ｅ）制御部の処理
（ｆ）表示部入力同期信号
（ｇ）表示部表示画像
【００５２】
図３の（ｄ）撮影操作（レリーズ（シャッター）操作）のライン上の中央付近に示すように、ステップＳ０１においてユーザによる撮影操作、すなわち、レリーズボタン（シャッターボタン）の押下処理が行われたものとする。
【００５３】
このユーザによる撮影操作、すなわち、レリーズボタン（シャッターボタン）の押下処理が行われると、制御部は、露光準備処理を開始する。
この露光準備処理は、例えば制御部から、撮像素子や信号処理部に対する制御信号の出力処理や、撮像素子や信号処理部における制御信号に基づく設定処理等の処理である。
【００５４】
この露光準備処理には、例えば撮像素子（イメージセンサ）１２のモード切り換え処理が含まれる。
撮像素子１２は、表示部２１に表示するための表示用画像（ＬＶ画像）を出力する際は、撮像素子の全画素データの出力を行うことなく、一部を間引いた低画素数の画像出力を行う。
しかし、撮影処理が実行された場合には、高画素数の記録用画像を生成する必要があるため、撮像素子のほぼ全画素データの出力を行う。
【００５５】
露光準備処理には、この撮像素子１２の出力データを変更するためのモード切り換え処理等が含まれる。
撮像素子１２は、出力データを変更するためのモード切り換え処理を開始すると、表示用画像（ＬＶ画像）の露光処理、メモリ出力処理を停止せざる得なくなる。
なお、露光準備処理は、カメラによって多少の差はあるが、多くのカメラにおいて、約１５ｍｓｅｃ〜３０ｍｓｅｃの時間となる。
【００５６】
図３の（ｄ）撮影操作（レリーズ（シャッター）操作）のラインの中央付近に示すように、ステップＳ０１においてユーザによる撮影操作、すなわち、レリーズボタン（シャッターボタン）の押下処理が行われると、制御部は、ステップＳ０２において、露光準備処理を開始する。
【００５７】
さらに、このステップＳ０２の露光準備処理開始に伴い、ステップＳ０３において、撮像素子１２に対して、表示用画像（ＬＶ画像）の露光処理の停止と、モード切り換えの開始を要求する。
図に示す例では、表示用画像（ＬＶ５）の露光途中で、露光処理が停止されている。
【００５８】
さらに、制御部は、ステップＳ０２の露光準備処理開始に伴い、ステップＳ０４において、表示部２１に対して、表示画像の停止、すなわちブラックアウト処理を要求する。
これは、撮像素子１２による表示用画像（ＬＶ画像）の露光処理停止により、フレームメモリ１４から、次の表示予定の表示用画像（ＬＶ画像）の取得ができなくなるためである。
図に示す例では、表示用画像（ＬＶ４）の表示中に表示画像の停止、すなわちブラックアウト処理の要求が表示部に出力され、表示部２１は画面をブラックアウト（黒画出力）に切り換えられる。
【００５９】
その後、露光準備処理が完了すると、制御部は、ステップＳ０５において、撮像素子１２に露光準備処理が完了したことを通知し、記録用画像（ＣＡＰ画像）の露光処理を開始させる。
ステップＳ０６において、撮像素子１２は、記録用画像（ＣＡＰ画像）の露光処理を開始する。
露光期間は、例えばユーザの設定した期間、すなわちシャッタースピードに対応して設定される。
【００６０】
制御部は、さらに、ステップＳ０７において、記録用画像（ＣＡＰ画像）の表示予約を実行し、ステップＳ０８において記録用画像（ＣＡＰ画像）の表示処理を実行する。
【００６１】
すなわち、ステップＳ０６における撮像素子１２による記録用画像（ＣＡＰ画像）の露光処理によって得られた記録用画像（ＣＡＰ画像）は、第２フレームメモリ（ＦＭ２）に格納される。
これは、制御部の実行する表示予約シーケンスが、ＦＭ１，ＦＭ２，ＦＭ１．ＦＭ２・・と交互に実行され、記録用画像（ＣＡＰ画像）の撮影開始前の最新の表示予約が第１フレームメモリ（ＦＭ１）に対して発行されており、次の表示予約は第２フレームメモリ（ＦＭ２）に対して発行されることに対応させたものである。
【００６２】
制御部は、ステップＳ０７において、第２フレームメモリ（ＦＭ２）に対して記録用画像（ＣＡＰ画像）の表示予約を実行し、ステップＳ０８において、第２フレームメモリ（ＦＭ２）から記録用画像（ＣＡＰ画像）を読み取り、表示部２１に記録用画像（ＣＡＰ画像）を表示する処理を実行する。
なお、この表示処理に際しては、第２フレームメモリ（ＦＭ２）に格納された記録用画像（ＣＡＰ画像）に対して、表示部２１の表示画素数に応じた間引き処理を行って表示する処理を行う。
【００６３】
図３に示すシーケンス図から理解されるように、ユーザ（撮影者）による撮影処理、すなわちレリーズボタン（シャッターボタン）の押下がなされると、制御部は、表示部２１に対して表示画像の停止、すなわちブラックアウト処理を要求し、表示部２１は画面をブラックアウト（黒画出力）する。
その後、記録用画像（ＣＡＰ画像）の露光処理、フレームメモリ１４への格納処理が終了して、記録用画像（ＣＡＰ画像）が表示可能となるまで、表示部２１は、ブラックアウト（黒画出力）状態が継続してしまうことになる。
【００６４】
なお、図１〜図３を参照して説明した構成では、フレームメモリを２つ持つ撮像装置の利用例について説明したが、１つのフレームメモリに順次、撮影画像を格納する構成においても、同様のブラックアウトが発生する。
以下、このような表示部のブラックアウトの発生を防止した構成を有する本開示の実施例について説明する。
【００６５】
［２．本開示の撮像装置の構成例について］
まず、図４を参照して本開示の撮像装置１００の構成例について説明する。
図４に示す撮像装置１００は、光学レンズ１０１、撮像素子１０２、ＡＤ変換部１０３、フレームメモリ１０４、信号処理部（信号処理ＬＳＩ）１０５、メモリ１０６、表示部（ＬＣＤ／ＥＶＦ）１０７、記録部１０８、操作部１０９、制御部１１０を有する。
フレームメモリ１０４には、第１フレームメモリ（ＦＭ１）１２１、第２フレームメモリ（ＦＭ２）１２２が構成され、２つの画像フレームを格納可能な構成となっている。
【００６６】
操作部１０９は、例えばレリーズボタン（シャッターボタン）や、撮影態様、撮影モードの設定、表示部１０７の表示画像の設定などのユーザ入力を行うための操作部である。
なお、表示部１０７をタッチパネル形式としてユーザ操作部として利用することも可能である。
【００６７】
制御部１１０は、撮像素子１０２〜記録部１０８に対する制御信号や同期信号を入力し、各構成部の処理の実行タイミングの制御等、様々な処理制御を実行する。
例えば、撮像素子１０２の処理タイミングを規定する同期信号の出力制御や、表示部１０７の表示画像の切り換えタイミングを規定する同期信号の出力制御等を実行する。
制御部１１０は、具体的には、図示しない記憶部に格納されたプログラムに従った処理を実行するＣＰＵ等によって構成される。
プログラムは、例えば、画像撮影、画像記録、画像表示処理の制御プログラム、同期信号出力制御プログラム等によって構成される。
【００６８】
光学レンズ１０１を介して入射される光は撮像部、例えばＣＭＯＳイメージセンサなどによって構成される撮像素子１０２に入射し、光電変換による画像データを出力する。なお、撮像素子１０２の出力画像は、撮影処理が実行されていない場合は、表示部１０７に表示するための低画素の表示用画像（ＬＶ画像）であり、撮影処理が実行された場合は、記録部１０８に格納するための高画素の記録用画像（ＣＡＰ画像）となる。
【００６９】
撮像素子１０２からの出力画像はＡＤ変換部１０３に入力される。
ＡＤ変換部１０３は、入力信号のＡ／Ｄ変換、すなわちアナログ信号をデジタル信号に変換する処理を実行して、変換後のデジタル値を、フレームメモリ１０４に格納する。
【００７０】
フレームメモリ１０４は、図に示す例では、２つの画像フレームを格納可能な構成を持つ。撮像素子１０２の撮像画像は、第１フレームメモリ（ＦＭ１）と、第２フレームメモリ（ＦＭ２）に交互に格納される。
すなわち、フレームメモリ１４は、同時に２つの連続撮影された画像フレームを格納する。
【００７１】
フレームメモリ１０４に格納された画像は、先行格納フレームから、順次、信号処理部（信号処理ＬＳＩ）１０５に出力される。
すなわち、第１フレームメモリ（ＦＭ１）と、第２フレームメモリ（ＦＭ２）から、交互に撮影順に従って、順次、信号処理部（信号処理ＬＳＩ）１０５に出力される。
なお、図４に示す例は、フレームメモリを２つ持つ構成であるが、１つのフレームメモリに順次、撮影画像を格納する構成としてもよい。
【００７２】
信号処理部１０５は、例えばホワイトバランス（ＷＢ）調整、ガンマ補正等、一般的なカメラにおける信号処理を実行して出力画像、すなわち、表示部１０７に表示するための表示用画像（ＬＶ画像）、または、記録部１０８に格納するための記録用画像（ＣＡＰ画像）の少なくともいずれかを生成してメモリ１０６に格納する。
【００７３】
表示部１０７は、メモリ１０６に格納された表示用画像（ＬＶ画像）を表示する。
表示部１０７は、例えばＬＣＤやＥＶＦ等によって構成され、撮影者が確認することができる。
また、記録部１０８は、メモリ１０６に格納された記録用画像（ＣＡＰ画像）を格納する。
【００７４】
［３．表示部のブラックアウトを防止した撮像装置の実施例について］
次に、表示部のブラックアウトを防止した撮像装置の実施例について説明する。
以下の各実施例について、順次、説明する。
（実施例１）表示用画像の露光完了後に露光準備処理を開始することで表示部のブラックアウトを防止した実施例
（実施例２）表示用画像の露光完了後、レリーズタイムラグを一定とするための待機時間経過後に露光準備処理を開始することで表示部のブラックアウトを防止した実施例
（実施例３）露光未完了画像の表示予約をキャンセルして、表示部の表示画像の継続表示を行うことで、表示部のブラックアウトを防止した実施例
（実施例４）フレームメモリ格納済み最新画像のフレームメモリ間コピーを行うことで、メモリ切り換え後も同一画像を表示部に継続表示させて、表示部のブラックアウトを防止した実施例
【００７５】
［３−１．（実施例１）表示用画像の露光完了後に露光準備処理を開始することで表示部のブラックアウトを防止した実施例］
まず、実施例１として、表示用画像の露光完了後に露光準備処理を開始することで表示部のブラックアウトを防止した実施例について説明する。
【００７６】
図５は、本実施例１の処理シーケンスを説明するタイミングチャートである。
図５は、先に説明した図３と同様、撮像装置の表示部に表示用画像（ＬＶ画像）を表示し、その間に、ユーザ（撮影者）による撮影処理、すなわちレリーズボタン（シャッターボタン）の押下処理が行われた場合の処理シーケンスを示している。
【００７７】
具体的には、撮像装置の表示部に表示用画像（ＬＶ画像）が表示されている期間に、ユーザ（撮影者）による撮影処理が実行され、撮影された記録用画像（ＣＡＰ画）を表示部に表示する場合の処理シーケンスである。
左から右に時間が経過する。
【００７８】
図５には、先に説明した図２、図３と同様、以下の（ａ）〜（ｇ）の処理タイミングを個別に示している。
（ａ）撮像素子入力同期信号
（ｂ）撮像素子の露光処理とフレームメモリに対する出力
（ｃ１）第１フレームメモリ（ＦＭ１）の格納画像
（ｃ２）第２フレームメモリ（ＦＭ２）の格納画像
（ｄ）撮影操作（レリーズ（シャッター）操作）
（ｅ）制御部の処理
（ｆ）表示部入力同期信号
（ｇ）表示部表示画像
【００７９】
以下、図５に示す処理ステップＳ１１〜Ｓ１８の各処理について、順次、説明する。
（ステップＳ１１）
まず、ステップＳ１１において、図５の（ｄ）撮影操作（レリーズ（シャッター）操作）のラインの中央付近に示すように、ユーザによる撮影操作、すなわち、レリーズボタン（シャッターボタン）の押下処理が行われる。
【００８０】
（ステップＳ１２）
ステップＳ１１において、ユーザによる撮影操作、すなわち、レリーズボタン（シャッターボタン）の押下処理が行われると、制御部１１０は、ステップＳ１２において、撮像素子１０２で実行中の表示用画像（ＬＶ画像）の露光処理と露光データのフレームメモリ１０４に対する出力処理の完了まで待機する。
【００８１】
図５に示す例では、Ｓ１１の撮影操作の実行時点で撮像素子１０２において露光実行中の表示用画像は、ＬＶ５画像である。ステップＳ１２では、このＬＶ５画像の露光処理と露光データのフレームメモリ１０４に対する出力処理の完了まで待機する。
なお、この待機時間には、露光データのフレームメモリ１０４に対する格納時間、すなわち撮像素子１０２からの露光データ読み出し時間も含まれる。
【００８２】
（ステップＳ１３）
制御部１１０は、ステップＳ１２の待機処理の完了後に、ステップＳ１３において、露光準備処理を開始する。
この露光準備処理は、例えば制御部１１０から、撮像素子１０２や信号処理部１０５に対する制御信号の出力処理や、撮像素子や信号処理部における制御信号に基づく設定処理等に要する時間である。
この露光準備処理には、例えば撮像素子１０２のモード切り換え処理が含まれる。
【００８３】
前述したように、撮像素子１０２は、表示部１０７に表示するための表示用画像（ＬＶ画像）を出力する際は、撮像素子１０２の全画素データの出力を行うことなく、一部を間引いた低画素数の画像出力を行う。
しかし、撮影処理が実行された場合には、高画素数の記録用画像を生成する必要があるため、撮像素子１０２のほぼ全画素データの出力を行う。
露光準備処理には、この撮像素子１０２の出力データを変更するためのモード切り換え処理等が含まれる。
【００８４】
（ステップＳ１４）
制御部１１０は、ステップＳ１３において露光準備処理を開始すると、さらに、ステップＳ１４において、撮像素子１０２に対して露光停止処理、および記録用画像（ＣＡＰ画像）露光処理の準備要求を行う。
撮像素子１０２は、記録用画像（ＣＡＰ画像）露光処理の準備、例えば、高画素の出力データに変更するためのモード切り換え処理を開始する。この処理を開始すると、撮像素子１０２は、表示用画像（ＬＶ画像）の露光処理、メモリ出力処理を停止する。
【００８５】
ただし、本実施例では、ステップＳ１２の待機処理により、撮影操作実行時点で撮像素子１０２が露光実行中の表示用画像（ＬＶ５画像）は、第１フレームメモリ（ＦＭ１）に格納済みである。
【００８６】
（ステップＳ１５）
制御部１１０は、ステップＳ１４の露光準備処理開始前に実行済みの第１フレームメモリ（ＦＭ１）に対する表示予約に従って、ステップＳ１５において、第１フレームメモリ（ＦＭ１）に格納されている最新画像、すなわち表示用画像（ＬＶ５）を読み出して、表示部１０７に表示する。
この表示画像は、上述したステップＳ１２の待機処理の間に、第１フレームメモリ（ＦＭ１）に格納された表示用画像（ＬＶ５）である。
【００８７】
（ステップＳ１６）
その後、露光準備処理が完了すると、制御部１１０は、ステップＳ１６において、撮像素子１０２に露光準備処理が完了したことを通知し、記録用画像（ＣＡＰ画像）の露光処理を開始させる。
【００８８】
（ステップＳ１７）
ステップＳ１７において、撮像素子１０２は、記録用画像（ＣＡＰ画像）の露光処理を開始する。
露光期間は、例えばユーザの設定した期間、すなわちシャッタースピードに対応して設定される。
【００８９】
（ステップＳ１８〜Ｓ１９）
制御部１１０は、さらに、ステップＳ１８において、記録用画像（ＣＡＰ画像）の表示予約を実行し、ステップＳ１９において記録用画像（ＣＡＰ画像）の表示処理を実行する。
【００９０】
なお、ステップＳ１７における撮像素子１０２による記録用画像（ＣＡＰ画像）の露光処理によって得られた記録用画像（ＣＡＰ画像）は、第２フレームメモリ（ＦＭ２）に格納される。
これは、制御部の実行する表示予約シーケンスが、ＦＭ１，ＦＭ２，ＦＭ１．ＦＭ２・・と交互に実行され、記録用画像（ＣＡＰ画像）の撮影開始前の最新の表示予約が第１フレームメモリ（ＦＭ１）に対して発行されており、次の表示予約は第２フレームメモリ（ＦＭ２）に対して発行されることに対応する。
【００９１】
制御部は、ステップＳ１８において、第２フレームメモリ（ＦＭ２）に対して記録用画像（ＣＡＰ画像）の表示予約を実行し、ステップＳ１９において、第２フレームメモリ（ＦＭ２）から記録用画像（ＣＡＰ画像）を読み取り、表示部１０７に記録用画像（ＣＡＰ画像）を表示する処理を実行する。
なお、この表示処理に際しては、第２フレームメモリ（ＦＭ２）に格納された記録用画像（ＣＡＰ画像）に対して、表示部１０７の表示画素数に応じた間引き処理を行って表示する処理を行う。
【００９２】
図５に示すシーケンス図から理解されるように、ユーザ（撮影者）による撮影処理、すなわちレリーズボタン（シャッターボタン）の押下がなされると、制御部１１０は、ステップＳ１２において、撮像素子１０２で実行中の表示用画像（ＬＶ画像）の露光処理と露光データのフレームメモリ１０４に対する出力処理の完了まで待機する。
【００９３】
図５に示す例では、Ｓ１１の撮影操作の実行時点で撮像素子１０２において露光実行中の表示用画像は、ＬＶ５画像である。ステップＳ１２では、このＬＶ５画像の露光処理と露光データのフレームメモリ１０４に対する出力処理の完了まで待機する。
この待機処理によって、レリーズボタン（シャッターボタン）の押下タイミングで露光中の表示用画像（ＬＶ５）をフレームメモリに格納することが可能となり、表示部１０７に表示用画像（ＬＶ５）を表示することができる。
【００９４】
表示部１０７に対する表示用画像（ＬＶ５）の表示処理は、記録用画像（ＣＡＰ画像）がフレームメモリ１０４に格納され、表示可能となるまで、継続される。
記録用画像（ＣＡＰ画像）がフレームメモリ１０４に格納され、表示可能となると、ステップＳ１８〜Ｓ１９において、記録用画像（ＣＡＰ画像）がフレームメモリ１０４から読み出されて、表示部１０７に表示される。
【００９５】
これらの処理の結果、表示部１０７には、撮影操作実行時点以前の表示用画像（ＬＶ４）の表示処理に継続して、撮影操作実行時点で露光中の表示用画像（ＬＶ５）が
表示され、さらに、この表示用画像（ＬＶ５）の表示処理に継続して、記録用画像（ＣＡＰ画像）が表示される。
すなわち、ブラックアウトを発生させることなく、表示部１０７に対する画像表示が継続して実行されることになる。
なお、本実施例について、フレームメモリを２つ持つ構成における処理例として説明したが、本実施例は、１つのフレームメモリに順次、撮影画像を格納する構成においても、同様の効果を奏することができる。
【００９６】
［３−２．（実施例２）表示用画像の露光完了後、レリーズタイムラグを一定とするための待機時間経過後に露光準備処理を開始することで表示部のブラックアウトを防止した実施例］
次に、実施例２として、表示用画像の露光完了後、レリーズタイムラグを一定とするための待機時間経過後に露光準備処理を開始することで表示部のブラックアウトを防止した実施例について説明する。
【００９７】
この実施例２は、先に説明した実施例１の改良版である。
先に図５を参照して説明したように、実施例１では、撮影操作実行時点で実行中の表示用画像（ＬＶ画像）の露光の完了まで待機して、この待機時間経過後に、記録用画像（ＣＡＰ画像）の露光準備処理を開始することで表示部のブラックアウトを防止する構成としていた。
【００９８】
しかし、この構成とすると、ユーザ（撮影者）の実行する撮影操作、すなわちレリーズボタンの押下操作から、その撮影操作に対応する撮影画像である記録用画像（ＣＡＰ画像）の露光開始までの時間（レリーズタイムラグ）が、様々な時間に変化してしまうという問題がある。
【００９９】
レリーズタイムラグについて簡単に説明する。
レリーズボタン（シャッターボタン）を押下して、実際にカメラの撮像素子の露光処理が開始されるまでには、一定のタイムラグ（時間遅れ）がある。
このタイムラグは、レリーズタイムラグ、あるいはレリーズラグと呼ばれる。
レリーズタイムラグは、カメラによって多少の差はあるが、多くのカメラにおいて、レリーズラグは、約１５ｍｓｅｃ〜３０ｍｓｅｃの時間範囲にある。
１つのカメラでは一定時間、例えば２０ｍｓｅｃ等の時間となる。
【０１００】
移動しない静止被写体を撮影する場合には、レリーズボタン（シャッターボタン）を押下したタイミングと、レリーズタイムラグ経過後の被写体に大きな変化が発生しないため、撮影者が意図した被写体画像を記録画像としてカメラのメモリに記録することができる。
しかし、例えば、高速で移動する被写体を撮影する場合、レリーズボタン（シャッターボタン）を押下したタイミングの被写体と、レリーズタイムラグ経過後の被写体は、大きく異なる場合がある。このような場合には、撮影者が意図した被写体画像と異なる画像がカメラのメモリに記録されることになる。
【０１０１】
一般的なユーザは、このレリーズタイムラグを気にすることなく撮影を行っているが、例えばプロのカメラマン等は、使用するカメラのレリーズタイムラグを考慮した上で撮影処理を行うことが多い。すなわち、カメラのＬＣＤ表示部やＥＶＦ（ｅｌｅｃｔｒｉｃ  ｖｉｅｗｆｉｎｄｅｒ）等の表示部の表示画像を確認し、さらに、レリーズラグを考慮して、レリーズボタン（シャッターボタン）の押下タイミングを押下する。
【０１０２】
具体的には、カメラの表示部の表示画像を確認し、さらに、レリーズタイムラグ経過後の画像を推定して、その推定画像が撮影できるように、推定画像の直前のタイミングで、レリーズボタン（シャッターボタン）を押下するといった撮影処理を行う。
【０１０３】
しかし、このようにレリーズボタン（シャッターボタン）の押下タイミングを制御して、撮影者の想定した画像を撮影するためには、レリーズタイムラグの時間が常に一定であるということが条件となる。
レリーズタイムラグの時間が、レリーズボタン押下タイミングによって異なってしまうと、レリーズタイムラグを考慮した高度な撮影ができなくなり、撮影者の意図した画像の撮影が困難になる。
このように、撮影者の意図した画像を撮影するためにはレリーズタイムラグを一定にすることが要求される。
【０１０４】
前述したように、先に図５を参照して説明した実施例１では、撮影操作実行時点で実行中の表示用画像（ＬＶ画像）の露光の完了まで待機して、この待機時間経過後に、記録用画像（ＣＡＰ画像）の露光準備処理を開始することで表示部のブラックアウトを防止する構成である。しかし、この構成では、ユーザ（撮影者）によるレリーズボタンの押下操作から、その撮影操作に対応する記録用画像（ＣＡＰ画像）の露光開始までの時間（レリーズタイムラグ）が変化してしまう。
この問題について、図６を参照して説明する。
【０１０５】
図６には、先に図５を参照して説明した実施例１を適用した以下の２つの処理例を示している。
（１）表示用画像（ＬＶ５）の露光終了直前に撮影操作が実行された場合
（２）表示用画像（ＬＶ５）の露光開始時点で撮影操作が実行された場合
【０１０６】
図６（１）のケースに、先に図５を参照して説明した実施例１を適用した場合、待機時間は、撮影操作時点から、表示用画像（ＬＶ５）の露光終了までの時間であり、図に示す時間ｔ１１〜ｔ１２の時間となる。
この場合のレリーズタイムラグは、待機時間（ｔ１１〜ｔ１２）に、露光準備処理期間（ｔ１２〜ｔ１３）を加えた時間（ｔ１１〜ｔ１３）の時間となる。
【０１０７】
なお、前述したように、露光準備処理期間は、撮像装置によっても異なるが、１つのカメラでは一定時間、例えば２０ｍｓｅｃ等の時間となる。
図６（１）のケースでは、露光準備処理期間（ｔ１２〜ｔ１３）が、この２０ｍｓｅｃであり、レリーズタイムラグ（ｔ１１〜ｔａ３）は、この２０ｍｓｅｃにに待機時間（ｔ１１〜ｔ１２）を加えた時間となる。
【０１０８】
一方、図６（２）のケースに、先に図５を参照して説明した実施例１を適用した場合、待機時間は、撮影操作時点から、表示用画像（ＬＶ５）の露光終了までの時間であり、図に示す時間ｔ２１〜ｔ２２の時間となる。
この場合のレリーズタイムラグは、待機時間（ｔ２１〜ｔ２２）に、露光準備処理期間（ｔ２２〜ｔ２３）を加えた時間（ｔ２１〜ｔ２３）の時間となる。
【０１０９】
この図６（１），（２）のケースにおいて、ケース（１）の露光準備処理期間（ｔ１２〜ｔ１３）と、ケース（２）の露光準備処理期間（ｔ２２〜ｔ２３）は、いずれも同じ、例えば２０ｍｓｅｃである。
しかし、ケース（１）の待機時間（ｔ１１〜ｔ１２）は、表示用画像（ＬＶ５）の露光終了直前の撮影操作開始時点（ｔ１１）から、表示用画像（ＬＶ５）の露光が終了してメモリに格納された時点（ｔ１２）までの時間であり、図から理解されるように図６（２）のケースより短く設定されている。
【０１１０】
図６（２）のケースの待機時間（ｔ２１〜ｔ２２）は、表示用画像（ＬＶ５）の露光開始時点の撮影操作開始時点（ｔ２１）から、表示用画像（ＬＶ５）の露光が終了してメモリに格納された時点（ｔ２２）までの時間であり、図から理解されるように図６（１）のケースより長く設定されている。
【０１１１】
結果として、図６（１），（２）の両者を比較すると、図６（２）のケースのレリーズタイムラグ（ｔ２１〜ｔ２３）は、図６（１）のケースのレリーズタイムラグ（ｔ１１〜ｔ１３）より長くなる。
このように、図５を参照して説明した実施例１を適用した場合、ユーザ（撮影者）の撮影操作のタイミングによってレリーズタイムラグに差が生じるという問題が発生する。
【０１１２】
以下に説明する実施例２は、この点を改良し、ユーザ（撮影者）の撮影操作のタイミングにかかわらず、レリーズタイムラグを一定とした実施例である。
具体的には、待機時間を想定される最長時間、すなわち、図６（２）に示すケースと同様、撮影操作が表示用画像（ＬＶ画像）の露光開始時点で実行されたものと想定して待機時間を設定する。このような待機時間の設定を行うことでレリーズタイムラグを一定にすることを可能とした。
【０１１３】
図７を参照して本実施例２、すなわち、表示用画像の露光完了後、レリーズタイムラグを一定とするための待機時間経過後に露光準備処理を開始することで表示部のブラックアウトを防止した実施例について説明する。
図７は、本実施例２の処理シーケンスを説明するタイミングチャートである。
【０１１４】
図７は、先に説明した図５と同様、撮像装置の表示部に表示用画像（ＬＶ画像）を表示し、その間に、ユーザ（撮影者）による撮影処理、すなわちレリーズボタン（シャッターボタン）の押下処理が行われた場合の処理シーケンスを示している。
具体的には、撮像装置の表示部に表示用画像（ＬＶ画像）が表示されている期間に、ユーザ（撮影者）による撮影処理が実行され、撮影された記録用画像（ＣＡＰ画）を表示部に表示する場合の処理シーケンスを示している。
左から右に時間が経過する。
【０１１５】
図７には、先に説明した図５と同様、以下の（ａ）〜（ｇ）の処理タイミングを個別に示している。
（ａ）撮像素子入力同期信号
（ｂ）撮像素子の露光処理とフレームメモリに対する出力
（ｃ１）第１フレームメモリ（ＦＭ１）の格納画像
（ｃ２）第２フレームメモリ（ＦＭ２）の格納画像
（ｄ）撮影操作（レリーズ（シャッター）操作）
（ｅ）制御部の処理
（ｆ）表示部入力同期信号
（ｇ）表示部表示画像
【０１１６】
以下、図７に示す処理ステップＳ２１〜Ｓ２８の各処理について、順次、説明する。
（ステップＳ２１）
まず、ステップＳ２１において、図７の（ｄ）撮影操作（レリーズ（シャッター）操作）のラインの中央付近に示すように、ユーザによる撮影操作、すなわち、レリーズボタン（シャッターボタン）の押下処理が行われる。
【０１１７】
（ステップＳ２２）
ステップＳ２１において、ユーザによる撮影操作、すなわち、レリーズボタン（シャッターボタン）の押下処理が行われると、制御部１１０は、ステップＳ２２において、予め規定した待機時間が経過するまで、待機する。
【０１１８】
この予め規定した待機時間とは、先に図６（２）を参照して説明したケースに従った待機時間である。すなわち、撮影操作が、撮像素子１０２における表示用画像（ＬＶ画像）の露光処理開始時点で行われたものと想定し、１つの表示用画像（ＬＶ画像）の露光処理と、フレームメモリ１０４に対する出力処理に要する時間を待機時間とする。
この待機時間には、露光データのフレームメモリ１０４に対する格納時間、すなわち撮像素子１０２からの露光データ読み出し時間も含まれ、さらに、本実施例２においては、先に説明した実施例１とは異なり、露光途中の露光が完了した場合であっても、１フレームの露光にかかる露光時間を待ってから記録用画像の露光準備処理を開始する設定としている。
すなわち、本実施例２の待機時間は、撮影操作のタイミングにかかわらず一定となる。
【０１１９】
この処理により、レリーズタイムラグ、すなわち、撮影操作から、撮影操作に対応する記録用画像（ＣＡＰ画像）の露光開始までの時間は、（一定の待機時間）＋（一定の露光準備処理時間）となり、常に一定となる。
【０１２０】
（ステップＳ２３）
制御部１１０は、ステップＳ２２の待機処理の完了後に、ステップＳ２３において、露光準備処理を開始する。
この露光準備処理は、例えば制御部１１０から、撮像素子１０２や信号処理部１０５に対する制御信号の出力処理や、撮像素子や信号処理部における制御信号に基づく設定処理等に要する時間である。
この露光準備処理には、例えば撮像素子１０２のモード切り換え処理が含まれる。
【０１２１】
前述したように、撮像素子１０２は、表示部１０７に表示するための表示用画像（ＬＶ画像）を出力する際は、撮像素子１０２の全画素データの出力を行うことなく、一部を間引いた低画素数の画像出力を行う。
しかし、撮影処理が実行された場合には、高画素数の記録用画像を生成する必要があるため、撮像素子１０２のほぼ全画素データの出力を行う。
露光準備処理には、この撮像素子１０２の出力データを変更するためのモード切り換え処理等が含まれる。
【０１２２】
（ステップＳ２４）
制御部１１０は、ステップＳ２３において露光準備処理を開始すると、さらに、ステップＳ２４において、撮像素子１０２に対して露光停止処理、および記録用画像（ＣＡＰ画像）露光処理の準備要求を行う。
撮像素子１０２は、記録用画像（ＣＡＰ画像）露光処理の準備、例えば、高画素の出力データに変更するためのモード切り換え処理を開始する。この処理を開始すると、撮像素子１０２は、表示用画像（ＬＶ画像）の露光処理、メモリ出力処理を停止する。
【０１２３】
ただし、本実施例２でも、先に図５を参照して説明した実施例１と同様、ステップＳ２２の待機処理により、撮影操作実行時点で撮像素子１０２が露光実行中の表示用画像（ＬＶ５画像）は、第１フレームメモリ（ＦＭ１）に格納済みである。
【０１２４】
（ステップＳ２５）
制御部１１０は、ステップＳ２４の露光準備処理開始前に実行済みの第１フレームメモリ（ＦＭ１）に対する表示予約に従って、ステップＳ２５において、第１フレームメモリ（ＦＭ１）に格納されている最新画像、すなわち表示用画像（ＬＶ５）を読み出して、表示部１０７に表示する。
この表示画像は、上述したステップＳ２２の待機処理の間に、第１フレームメモリ（ＦＭ１）に格納された表示用画像（ＬＶ５）である。
【０１２５】
（ステップＳ２６）
その後、露光準備処理が完了すると、制御部１１０は、ステップＳ２６において、撮像素子１０２に露光準備処理が完了したことを通知し、記録用画像（ＣＡＰ画像）の露光処理を開始させる。
【０１２６】
（ステップＳ２７）
ステップＳ２７において、撮像素子１０２は、記録用画像（ＣＡＰ画像）の露光処理を開始する。
露光期間は、例えばユーザの設定した期間、すなわちシャッタースピードに対応して設定される。
【０１２７】
（ステップＳ２８〜Ｓ２９）
制御部１１０は、さらに、ステップＳ２８において、記録用画像（ＣＡＰ画像）の表示予約を実行し、ステップＳ２９において記録用画像（ＣＡＰ画像）の表示処理を実行する。
【０１２８】
図７に示すシーケンス図から理解されるように、ユーザ（撮影者）による撮影処理、すなわちレリーズボタン（シャッターボタン）の押下がなされると、制御部１１０は、ステップＳ２２において、予め規定した待機時間の待機処理を行う。
すなわち、１つの表示用画像（ＬＶ画像）の露光処理と、フレームメモリ１０４に対する出力処理（格納処理）に要する時間に相当する一定の待機時間の待機を行う。
この処理により、レリーズタイムラグ、すなわち、撮影操作から、撮影操作に対応する記録用画像（ＣＡＰ画像）の露光開始までの時間は、（一定の待機時間）＋（一定の露光準備処理時間）となり、常に一定となる。
【０１２９】
また、図７に示す実施例２においても、先に図５を参照して説明した実施例１と同様、Ｓ２１の撮影操作の実行時点で撮像素子１０２において露光実行中の表示用画像は、ＬＶ５画像であり、ステップＳ２２における待機時間内に、レリーズボタン（シャッターボタン）の押下タイミングで露光中の表示用画像（ＬＶ５）は、フレームメモリに格納されることになり、表示部１０７に表示用画像（ＬＶ５）を表示することができる。
【０１３０】
表示部１０７に対する表示用画像（ＬＶ５）の表示処理は、記録用画像（ＣＡＰ画像）がフレームメモリ１０４に格納され、表示可能となるまで、継続される。
記録用画像（ＣＡＰ画像）がフレームメモリ１０４に格納され、表示可能となると、ステップＳ２８〜Ｓ２９において、記録用画像（ＣＡＰ画像）がフレームメモリ１０４から読み出されて、表示部１０７に表示される。
なお、この表示処理に際しては、第２フレームメモリ（ＦＭ２）に格納された記録用画像（ＣＡＰ画像）に対して、表示部１０７の表示画素数に応じた間引き処理を行って表示する処理を行う。
【０１３１】
これらの処理の結果、表示部１０７には、撮影操作実行時点以前の、表示用画像（ＬＶ４）の表示処理に継続して、撮影操作実行時点で露光中の表示用画像（ＬＶ５）が
表示され、さらにこの表示用画像（ＬＶ５）の表示処理に継続して、記録用画像（ＣＡＰ画像）が表示される。
すなわち、ブラックアウトを発生させることなく、表示部１０７に画像表示が継続して実行されることになる。
なお、本実施例について、フレームメモリを２つ持つ構成における処理例として説明したが、本実施例は、１つのフレームメモリに順次、撮影画像を格納する構成においても、同様の効果を奏することができる。
【０１３２】
［３−３．（実施例３）露光未完了画像の表示予約をキャンセルして、表示部の表示画像の継続表示を行うことで、表示部のブラックアウトを防止した実施例］
つぎに、実施例３として、露光未完了画像の表示予約をキャンセルして、表示部の表示画像の継続表示を行うことで、表示部のブラックアウトを防止した実施例について説明する。
【０１３３】
図８は、本実施例３の処理シーケンスを説明するタイミングチャートである。
図８は、先に説明した図５と同様、撮像装置の表示部に表示用画像（ＬＶ画像）を表示し、その間に、ユーザ（撮影者）による撮影処理、すなわちレリーズボタン（シャッターボタン）の押下処理が行われた場合の処理を示している。
すなわち、撮像装置の表示部に表示用画像（ＬＶ画像）が表示されている期間に、ユーザ（撮影者）による撮影処理が実行され、撮影された記録用画像（ＣＡＰ画）を表示部に表示する場合の処理シーケンスを示している。
左から右に時間が経過する。
【０１３４】
図８には、先に説明した図５と同様、以下の（ａ）〜（ｇ）の処理タイミングを個別に示している。
（ａ）撮像素子入力同期信号
（ｂ）撮像素子の露光処理とフレームメモリに対する出力
（ｃ１）第１フレームメモリ（ＦＭ１）の格納画像
（ｃ２）第２フレームメモリ（ＦＭ２）の格納画像
（ｄ）撮影操作（レリーズ（シャッター）操作）
（ｅ）制御部の処理
（ｆ）表示部入力同期信号
（ｇ）表示部表示画像
【０１３５】
以下、図８に示す処理ステップＳ３１〜Ｓ３８の各処理について、順次、説明する。
（ステップＳ３１）
まず、ステップＳ３１において、図８の（ｄ）撮影操作（レリーズ（シャッター）操作）のラインの中央付近に示すように、ユーザによる撮影操作、すなわち、レリーズボタン（シャッターボタン）の押下処理が行われる。
【０１３６】
（ステップＳ３２）
ステップＳ３１において、ユーザによる撮影操作、すなわち、レリーズボタン（シャッターボタン）の押下処理が行われると、制御部１１０は、ステップＳ３２において、露光準備処理を開始する。
この露光準備処理は、先に説明した実施例１，２と同様の処理である。例えば制御部１１０から、撮像素子１０２や信号処理部１０５に対する制御信号の出力処理や、撮像素子や信号処理部における制御信号に基づく設定処理等に要する時間である。
この露光準備処理には、例えば撮像素子１０２のモード切り換え処理が含まれる。
【０１３７】
（ステップＳ３３）
制御部１１０は、ステップＳ３２において露光準備処理を開始すると、さらに、ステップＳ３３において、撮像素子１０２に対して露光停止処理、および記録用画像（ＣＡＰ画像）露光処理の準備要求を行う。
撮像素子１０２は、記録用画像（ＣＡＰ画像）露光処理の準備、例えば、高画素の出力データに変更するためのモード切り換え処理を開始する。この処理を開始すると、撮像素子１０２は、表示用画像（ＬＶ画像）の露光処理、メモリ出力処理を停止する。
【０１３８】
本実施例３では、図８に示すように、撮影操作実行時点で撮像素子１０２が露光実行中の画像は、表示用画像（ＬＶ５画像）であり、この露光期間の途中に撮像素子１０２は、表示用画像（ＬＶ５）の露光処理、メモリ出力処理を停止する。
【０１３９】
（ステップＳ３４）
本実施例３では、制御部１１０は、ステップＳ３４において、露光処理が途中で停止され、フレームメモリに格納されていない表示用画像（ＬＶ５）の表示予約をキャンセルする処理を行う。
このキャンセル対象となる表示予約は、ステップＳ３１の撮影操作の直前に実行された表示予約である。図８に示す撮像素子同期信号（ｔａ５）の時点で行われた表示予約である。
この表示予約は、第１フレームメモリに格納予定の表示用画像（ＬＶ５）に対する表示予約である。
【０１４０】
この表示予約のキャンセル処理によって、図８に示す撮像素子同期信号（ｔａ５）の時点で行われた表示予約に従って行われる予定の表示処理、すなわち、第１フレームメモリ（ＦＭ１）に格納予定の表示用画像（ＬＶ５）の第１フレームメモリ（ＦＭ１）からの画像データの取得や表示部１０７に対する出力処理は行われないことになる。
【０１４１】
この処理中止の結果、表示部１０７には、表示用画像（ＬＶ５）の表示タイミング前に表示されていた画像、すなわち、第２フレームメモリ（ＦＭ２）から取得した表示用画像（ＬＶ４）が継続して表示される。
【０１４２】
（ステップＳ３５）
その後、露光準備処理が完了すると、制御部１１０は、ステップＳ３５において、撮像素子１０２に露光準備処理が完了したことを通知し、記録用画像（ＣＡＰ画像）の露光処理を開始させる。
【０１４３】
（ステップＳ３６）
ステップＳ３６において、撮像素子１０２は、記録用画像（ＣＡＰ画像）の露光処理を開始する。
露光期間は、例えばユーザの設定した期間、すなわちシャッタースピードに対応して設定される。
【０１４４】
（ステップＳ３７〜Ｓ３８）
制御部１１０は、さらに、ステップＳ３７において、記録用画像（ＣＡＰ画像）の表示予約を実行し、ステップＳ３８において記録用画像（ＣＡＰ画像）の表示処理を実行する。
【０１４５】
図８に示すシーケンス図から理解されるように、（ｇ）表示部表示画像は、第２フレームメモリ（ＦＭ２）から取得された表示用画像（ＬＶ４）の表示期間が、長く設定され、この表示用画像（ＬＶ４）の表示後に、記録用画像（ＣＡＰ画像）が継続して表示される。
【０１４６】
すなわち、本実施例では、表示部１０７に対する表示用画像（ＬＶ４）の表示処理は、記録用画像（ＣＡＰ画像）がフレームメモリ１０４に格納され、表示可能となるまで、継続される。
記録用画像（ＣＡＰ画像）がフレームメモリ１０４に格納され、表示可能となると、ステップＳ３７〜Ｓ３８において、記録用画像（ＣＡＰ画像）がフレームメモリ１０４から読み出されて、表示部１０７に表示される。
なお、この表示処理に際しては、第２フレームメモリ（ＦＭ２）に格納された記録用画像（ＣＡＰ画像）に対して、表示部１０７の表示画素数に応じた間引き処理を行って表示する処理を行う。
【０１４７】
これらの処理の結果、表示部１０７には、撮影操作実行時点以前の、表示用画像（ＬＶ４）の表示処理に継続して、記録用画像（ＣＡＰ画像）が表示される。
すなわち、ブラックアウトを発生させることなく、表示部１０７に画像表示が継続して実行されることになる。
なお、本実施例について、フレームメモリを２つ持つ構成における処理例として説明したが、本実施例は、１つのフレームメモリに順次、撮影画像を格納する構成においても、同様の効果を奏することができる。
【０１４８】
［３−４．（実施例４）フレームメモリ格納済み最新画像のフレームメモリ間コピーを行うことで、メモリ切り換え後も同一画像を表示部に継続表示させて、表示部のブラックアウトを防止した実施例］
次に、実施例４として、フレームメモリ格納済み最新画像のフレームメモリ間コピーを行うことで、メモリ切り換え後も同一画像を表示部に継続表示させて、表示部のブラックアウトを防止した実施例について説明する。
【０１４９】
図９は、本実施例４の処理シーケンスを説明するタイミングチャートである。
図９は、先に説明した図５と同様、撮像装置の表示部に表示用画像（ＬＶ画像）を表示し、その間に、ユーザ（撮影者）による撮影処理、すなわちレリーズボタン（シャッターボタン）の押下処理が行われた場合の処理シーケンスである。
すなわち、撮像装置の表示部に表示用画像（ＬＶ画像）が表示されている期間に、ユーザ（撮影者）による撮影処理が実行され、撮影された記録用画像（ＣＡＰ画）を表示部に表示する場合の処理シーケンスを示している。
左から右に時間が経過する。
【０１５０】
図９には、先に説明した図５と同様、以下の（ａ）〜（ｇ）の処理タイミングを個別に示している。
（ａ）撮像素子入力同期信号
（ｂ）撮像素子の露光処理とフレームメモリに対する出力
（ｃ１）第１フレームメモリ（ＦＭ１）の格納画像
（ｃ２）第２フレームメモリ（ＦＭ２）の格納画像
（ｄ）撮影操作（レリーズ（シャッター）操作）
（ｅ）制御部の処理
（ｆ）表示部入力同期信号
（ｇ）表示部表示画像
【０１５１】
以下、図９に示す処理ステップＳ４１〜Ｓ４９の各処理について、順次、説明する。
（ステップＳ４１）
まず、ステップＳ４１において、図９の（ｄ）撮影操作（レリーズ（シャッター）操作）のラインの中央付近に示すように、ユーザによる撮影操作、すなわち、レリーズボタン（シャッターボタン）の押下処理が行われる。
【０１５２】
（ステップＳ４２）
ステップＳ４１において、ユーザによる撮影操作、すなわち、レリーズボタン（シャッターボタン）の押下処理が行われると、制御部１１０は、ステップＳ４２において、露光準備処理を開始する。
この露光準備処理は、先に説明した実施例と同様の処理である。例えば制御部１１０から、撮像素子１０２や信号処理部１０５に対する制御信号の出力処理や、撮像素子や信号処理部における制御信号に基づく設定処理等に要する時間である。
この露光準備処理には、例えば撮像素子１０２のモード切り換え処理が含まれる。
【０１５３】
（ステップＳ４３）
制御部１１０は、ステップＳ４２において露光準備処理を開始すると、さらに、ステップＳ４３において、撮像素子１０２に対して露光停止処理、および記録用画像（ＣＡＰ画像）露光処理の準備要求を行う。
撮像素子１０２は、記録用画像（ＣＡＰ画像）露光処理の準備、例えば、高画素の出力データに変更するためのモード切り換え処理を開始する。この処理を開始すると、撮像素子１０２は、表示用画像（ＬＶ画像）の露光処理、メモリ出力処理を停止する。
【０１５４】
本実施例４では、図９に示すように、撮影操作実行時点で撮像素子１０２が露光実行中の画像は、表示用画像（ＬＶ５画像）であり、この露光期間の途中に撮像素子１０２は、表示用画像（ＬＶ５）の露光処理、メモリ出力処理を停止する。
【０１５５】
（ステップＳ４４〜Ｓ４５）
本実施例４では、制御部１１０が、ステップＳ４４において、第２フレームメモリ（ＦＭ２）に格納されている最新の表示用画像（ＬＶ４）を第１フレームメモリ（ＦＭ１）にコピーする処理を実行する。
【０１５６】
このコピー対象となる表示用画像（ＬＶ）は、ステップＳ４３の露光停止時点で、フレームメモリ１０４に格納済みの最新の表示用画像である。
図９に示す例では、第２フレームメモリ（ＦＭ２）に格納されている表示用画像（ＬＶ４）となる。
この最新の表示用画像（ＬＶ４）をもう１つのフレームメモリである第１フレームメモリ（ＦＭ１）にコピーする処理を実行する。
【０１５７】
このコピー処理の結果として、ステップＳ４１の撮影処理の直前に実行された表示予約、すなわち、第１フレームメモリに格納予定の表示用画像（ＬＶ５）に対する表示予約に従った表示処理（ステップＳ４５）において、表示部１０７に対して、表示用画像（ＬＶ４）の表示処理が行われる。
【０１５８】
すなわち、ステップＳ４５では、第１フレームメモリ（ＦＭ１）にコピーされて格納された表示用画像（ＬＶ４）が第１フレームメモリ（ＦＭ１）から読み出されて、表示部１０７に出力されて表示される。
【０１５９】
この結果、図９に示す撮像素子同期信号（ｔａ４）の時点では、まず、第１フレームメモリ（ＦＭ１）から表示用画像（ＬＶ４）が読み出されて、表示部１０７に表示される。次に、図９に示す撮像素子同期信号（ｔａ５）の時点で、第２フレームメモリ（ＦＭ２）から表示用画像（ＬＶ４）のコピーデータが読み出されて、表示部１０７に表示される。
このように、表示用画像（ＬＶ４）は、２つのフレームメモリ（ＦＭ１，ＦＭ２）から順次、読み出されて表示部に継続して表示されることになる。
【０１６０】
（ステップＳ４６）
その後、露光準備処理が完了すると、制御部１１０は、ステップＳ４６において、撮像素子１０２に露光準備処理が完了したことを通知し、記録用画像（ＣＡＰ画像）の露光処理を開始させる。
【０１６１】
（ステップＳ４７）
ステップＳ４７において、撮像素子１０２は、記録用画像（ＣＡＰ画像）の露光処理を開始する。
露光期間は、例えばユーザの設定した期間、すなわちシャッタースピードに対応して設定される。
【０１６２】
（ステップＳ４８〜Ｓ４９）
制御部１１０は、さらに、ステップＳ４８において、記録用画像（ＣＡＰ画像）の表示予約を実行し、ステップＳ４９において記録用画像（ＣＡＰ画像）の表示処理を実行する。
【０１６３】
図９に示すシーケンス図から理解されるように、（ｇ）表示部表示画像は、第２フレームメモリ（ＦＭ２）から取得された表示用画像（ＬＶ４）と、第１フレームメモリ（ＦＭ１）から取得されたコピー画像である表示用画像（ＬＶ４）が、本来の画像フレームの表示期間より長く継続して表示され、この表示用画像（ＬＶ４）の表示後に、記録用画像（ＣＡＰ画像）が継続して表示される。
【０１６４】
すなわち、本実施例では、表示部１０７に対する表示用画像（ＬＶ４）の表示処理は、記録用画像（ＣＡＰ画像）がフレームメモリ１０４に格納され、表示可能となるまで、継続される。
記録用画像（ＣＡＰ画像）がフレームメモリ１０４に格納され、表示可能となると、ステップＳ４８〜Ｓ４９において、記録用画像（ＣＡＰ画像）がフレームメモリ１０４から読み出されて、表示部１０７に表示される。
なお、この表示処理に際しては、第２フレームメモリ（ＦＭ２）に格納された記録用画像（ＣＡＰ画像）に対して、表示部１０７の表示画素数に応じた間引き処理を行って表示する処理を行う。
【０１６５】
これらの処理の結果、表示部１０７には、撮影操作実行時点以前の、表示用画像（ＬＶ４）の表示処理に継続して、記録用画像（ＣＡＰ画像）が表示される。
すなわち、ブラックアウトを発生させることなく、表示部１０７に画像表示が継続して実行されることになる。
【０１６６】
［４．（実施例５）記録用画像（ＣＡＰ画像）の露光期間が規定時間以上であるか否かを判定し、判定結果に応じた表示制御を実行する実施例］
次に、実施例５として、記録用画像（ＣＡＰ画像）の露光期間が規定時間以上であるか否かを判定し、判定結果に応じた表示制御を実行する実施例について説明する。
【０１６７】
本実施例５は、例えば、ユーザ（撮影者）の設定した記録用画像の露光期間、すなわち露光期間を規定するユーザのシャッタースピード情報を制御部が入力し、制御部において、記録用画像（ＣＡＰ画像）の露光期間が規定時間以上であるか否かを判定し、判定結果に応じた表示制御を実行する実施例である。
【０１６８】
具体的には、記録用画像（ＣＡＰ画像）の露光期間が規定時間以上である場合は、表示部１０７にブラックアウトを発生させ、記録用画像（ＣＡＰ画像）の露光が完了し、フレームメモリに格納された後、ブラックアウト状態から記録用画像（ＣＡＰ画像）表示に遷移させる。
一方、記録用画像（ＣＡＰ画像）の露光期間が規定時間以上でない場合は、先に説明した実施例１〜４のいずれかの処理を実行して、ブラックアウトのない表示処理を実行する。
【０１６９】
先に説明した実施例１〜４は、いずれも、表示用画像（ＬＶ４）、または表示用画像（ＬＶ５）を、本来の表示用画像の切り換えタイミングより長く表示部１０７に表示する設定であり、このような同一画像の継続表示が長くなると、ユーザは、動画表示から静止画表示に切り換えられていると勘違いする可能性がある。
【０１７０】
撮影操作によって表示部１０７に表示される画像は、静止画表示がなされ、ユーザ（撮影者）は、表示部に表示された静止画によって、撮影された画像の確認を行う。
しかし、その以前に、本来、動画像として表示されているべき表示用画像（ＬＶ４）、または表示用画像（ＬＶ５）が長い時間、継続して表示されると、この静止画が撮影画像であると誤認する可能性がある。
このような誤認処理を発生させないため、本実施例５では、記録用画像（ＣＡＰ画像）の露光期間が規定時間以上である場合は、表示部１０７にブラックアウトを発生させ、記録用画像（ＣＡＰ画像）の露光が完了し、フレームメモリに格納された後、ブラックアウト状態から記録用画像（ＣＡＰ画像）表示に遷移させる。
【０１７１】
図１０は、本実施例４の処理シーケンスを説明するタイミングチャートである。
図１０は、先に説明した図５と同様、撮像装置の表示部に表示用画像（ＬＶ画像）を表示し、その間に、ユーザ（撮影者）による撮影処理、すなわちレリーズボタン（シャッターボタン）の押下処理が行われた場合の処理シーケンスを示している。
すなわち、撮像装置の表示部に表示用画像（ＬＶ画像）が表示されている期間に、ユーザ（撮影者）による撮影処理が実行され、撮影された記録用画像（ＣＡＰ画）を表示部に表示する場合の処理シーケンスを示している。
左から右に時間が経過する。
【０１７２】
図１０には、先に説明した図５と同様、以下の（ａ）〜（ｇ）の処理タイミングを個別に示している。
（ａ）撮像素子入力同期信号
（ｂ）撮像素子の露光処理とフレームメモリに対する出力
（ｃ１）第１フレームメモリ（ＦＭ１）の格納画像
（ｃ２）第２フレームメモリ（ＦＭ２）の格納画像
（ｄ）撮影操作（レリーズ（シャッター）操作）
（ｅ）制御部の処理
（ｆ）表示部入力同期信号
（ｇ）表示部表示画像
【０１７３】
以下、図１０に示す処理ステップＳ５１〜Ｓ５８の各処理について、順次、説明する。
（ステップＳ５１）
まず、ステップＳ５１において、図１０の（ｄ）撮影操作（レリーズ（シャッター）操作）のラインの中央付近に示すように、ユーザによる撮影操作、すなわち、レリーズボタン（シャッターボタン）の押下処理が行われる。
【０１７４】
（ステップＳ５２）
ステップＳ５１において、ユーザによる撮影操作、すなわち、レリーズボタン（シャッターボタン）の押下処理が行われると、制御部１１０は、ステップＳ５２において、露光準備処理を開始する。
この露光準備処理は、先に説明した実施例と同様の処理である。例えば制御部１１０から、撮像素子１０２や信号処理部１０５に対する制御信号の出力処理や、撮像素子や信号処理部における制御信号に基づく設定処理等に要する時間である。
この露光準備処理には、例えば撮像素子１０２のモード切り換え処理が含まれる。
【０１７５】
（ステップＳ５３）
制御部１１０は、ステップＳ５２において露光準備処理を開始すると、さらに、ステップＳ５３において、撮像素子１０２に対して露光停止処理、および記録用画像（ＣＡＰ画像）露光処理の準備要求を行う。
撮像素子１０２は、記録用画像（ＣＡＰ画像）露光処理の準備、例えば、高画素の出力データに変更するためのモード切り換え処理を開始する。この処理を開始すると、撮像素子１０２は、表示用画像（ＬＶ画像）の露光処理、メモリ出力処理を停止する。
【０１７６】
本実施例５では、図１０に示すように、撮影操作実行時点で撮像素子１０２が露光実行中の画像は、表示用画像（ＬＶ５画像）であり、この露光期間の途中に撮像素子１０２は、表示用画像（ＬＶ５）の露光処理、メモリ出力処理を停止する。
【０１７７】
（ステップＳ５４）
本実施例５では、制御部１１０は、ステップＳ５４において、記録用画像（ＣＡＰ画像）の露光期間が規定時間以上であるか否かを判定し、規定時間以上であると判定した場合は、表示部１０７に対してブラックアウト処理要求を行う。
【０１７８】
なお、記録用画像（ＣＡＰ画像）の露光期間については、ユーザ（撮影者）の撮影設定情報、具体的にはシャッタースピードを入力して判定する。規定時間は、予め設定された時間であり、メモリに格納されている。
【０１７９】
なお、記録用画像（ＣＡＰ画像）の露光期間が規定時間以上でないと判定した場合は、表示部１０７に対するブラックアウト処理要求は行わず、先に説明した実施例１〜４のいずれかの処理を実行する。
【０１８０】
（ステップＳ５５）
その後、露光準備処理が完了すると、制御部１１０は、ステップＳ５５において、撮像素子１０２に露光準備処理が完了したことを通知し、記録用画像（ＣＡＰ画像）の露光処理を開始させる。
【０１８１】
（ステップＳ５６）
ステップＳ５６において、撮像素子１０２は、記録用画像（ＣＡＰ画像）の露光処理を開始する。
露光期間は、例えばユーザの設定した期間、すなわちシャッタースピードに対応して設定される。
【０１８２】
（ステップＳ５７〜Ｓ５８）
制御部１１０は、さらに、ステップＳ５７において、記録用画像（ＣＡＰ画像）の表示予約を実行し、ステップＳ５８において記録用画像（ＣＡＰ画像）の表示処理を実行する。
【０１８３】
図１０に示すシーケンス図から理解されるように、（ｇ）表示部表示画像は、第２フレームメモリ（ＦＭ２）から取得された表示用画像（ＬＶ４）の表示期間後、ブラックアウトされ、その後、記録用画像（ＣＡＰ画像）がフレームメモリ１０４に格納され、表示可能となると、ステップＳ５７〜Ｓ５８において、記録用画像（ＣＡＰ画像）がフレームメモリ１０４から読み出されて、表示部１０７に表示される。
なお、この表示処理に際しては、第２フレームメモリ（ＦＭ２）に格納された記録用画像（ＣＡＰ画像）に対して、表示部１０７の表示画素数に応じた間引き処理を行って表示する処理を行う。
【０１８４】
なお、ブラックアウト処理が実行されるのは、ステップＳ５４において、記録用画像（ＣＡＰ画像）の露光期間が規定時間以上であると判定した場合のみである。
記録用画像（ＣＡＰ画像）の露光期間が規定時間以上でないと判定した場合は、表示部１０７に対するブラックアウト処理要求は行わず、先に説明した実施例１〜４のいずれかの処理を実行する。
【０１８５】
これらの処理の結果、記録用画像（ＣＡＰ画像）の露光期間が規定時間以上である場合にのみ、表示部１０７のブラックアウトを発生させることができる。
この処理により、記録用画像（ＣＡＰ画像）の露光期間が規定時間以上である場合に表示用画像（ＬＶ画像）が長期間静止画として表示され、ユーザ（撮影者）が撮影画像と勘違いするといった誤認処理を回避することができる。
なお、本実施例について、フレームメモリを２つ持つ構成における処理例として説明したが、本実施例は、１つのフレームメモリに順次、撮影画像を格納する構成においても、同様の効果を奏することができる。
【０１８６】
［５．撮像装置の実行する処理のシーケンスについて］
次に、図１１に示すフローチャートを参照して、撮像装置の制御部において実行する画像表示制御シーケンスについて説明する。
【０１８７】
図１１に示すフローは、先に図１０を参照して説明した実施例５に従った処理に対応する画像表示制御シーケンスを説明するフローである。
すなわち、記録用画像（ＣＡＰ画像）の露光期間が規定時間以上であると判定した場合にブラックアウト処理を行い、記録用画像（ＣＡＰ画像）の露光期間が規定時間以上でない場合は、ブラックアウトを行わず、先に説明した実施例１〜４のいずれかの処理を実行する設定とした場合の画像表示制御シーケンスを説明するフローである。
【０１８８】
図１１に示すフローは、プログラム実行機能を持つプロセッサを有する制御部１１０の制御の下、例えば撮像装置１００の記憶部に予め格納されたプログラムに従って実行される。
以下、順次、各ステップの処理について説明する。
【０１８９】
（ステップＳ１０１）
まず、ステップＳ１０１において、撮像装置１００の制御部１１０は、撮影処理が実行されたか、すなわちユーザ（撮影者）によってレリーズボタンが押下されたか否かを判定する。これは、制御部１１０における操作部１０９からの入力検出処理として行われる。
【０１９０】
撮影処理（レリーズボタン押下）が実行されたと判定した場合、ステップＳ１０２に進み、撮影処理（レリーズボタン押下）が実行されていないと判定した場合は、ステップＳ１１１に進む。
【０１９１】
（ステップＳ１１１）
まず、ステップＳ１０１において、撮影処理（レリーズボタン押下）が実行されていないと判定された場合の処理について説明する。
ステップＳ１０１において、撮影処理（レリーズボタン押下）が実行されていないと判定された場合、ステップＳ１１１に進み、制御部１１０は、予め規定された間隔で、表示画像フレームの切り換えを行って、表示用画像（ＬＶ画像）の表示処理を行う。
【０１９２】
（ステップＳ１０２）
ステップＳ１０１において、撮影処理（レリーズボタン押下）が実行されたと判定した場合、ステップＳ１０２に進み、ステップＳ１０２において、制御部１１０は、ステップＳ１０１において検出された撮影操作に対応する記録用画像（ＣＡＰ画像）の露光期間がしきい値（規定時間）以上であるか否かを判定する。
【０１９３】
なお、前述したように、記録用画像（ＣＡＰ画像）の露光期間については、ユーザ（撮影者）の撮影設定情報、具体的にはシャッタースピードを入力して判定する。しきい値（規定時間）は、予め設定された時間であり、メモリに格納されている。
【０１９４】
ステップＳ１０２において、露光期間がしきい値（規定時間）以上でないと判定した場合は、ステップＳ１０３に進み、しきい値（規定時間）以上であると判定した場合は、ステップＳ１０５に進む。
【０１９５】
（ステップＳ１０３）
ステップＳ１０２において、露光期間がしきい値（規定時間）以上でないと判定した場合は、ステップＳ１０３に進む。
この場合、制御部１１０は、表示部１０７のブラックアウトを回避した処理、具体的には、先に説明した実施例１〜４のいずれかの処理を実行し、露光準備処理を実行し、露光準備処理完了後に、撮影画像（記録用画像（ＣＡＰ画像））の露光を開始する。
【０１９６】
ここでは、先に説明した実施例１〜４のいずれかの処理、すなわち、表示部のブラックアウトを防止した以下の実施例のいずれかに従った表示制御を実行する。
以下の各実施例について、順次、説明する。
（実施例１）表示用画像の露光完了後に露光準備処理を開始することで表示部のブラックアウトを防止した実施例
（実施例２）表示用画像の露光完了後、レリーズタイムラグを一定とするための待機時間経過後に露光準備処理を開始することで表示部のブラックアウトを防止した実施例
（実施例３）露光未完了画像の表示予約をキャンセルして、表示部の表示画像の継続表示を行うことで、表示部のブラックアウトを防止した実施例
（実施例４）フレームメモリ格納済み最新画像のフレームメモリ間コピーを行うことで、メモリ切り換え後も同一画像を表示部に継続表示させて、表示部のブラックアウトを防止した実施例
【０１９７】
これらのいずれかの処理を実行することで、表示部１０７には、継続して画像表示が行われ、ブラックアウトを発生させることのない画像表示が行われることになる。
【０１９８】
（ステップＳ１０４）
ステップＳ１０３において、露光準備処理が完了して撮影画像（記録用画像（ＣＡＰ画像））の露光が開始されると、次にステップＳ１０４において、撮影画像（記録用画像（ＣＡＰ画像））の露光処理とフレームメモリ１０４への格納処理が完了したか子中を判定する。
完了したと判定した場合に、ステップＳ１０７に進む。
【０１９９】
（ステップＳ１０７）
ステップＳ１０７では、フレームメモリ１０４に格納された撮影画像（記録用画像（ＣＡＰ画像））を読み出して表示部１０７に表示する。
【０２００】
このステップＳ１０３〜Ｓ１０４〜Ｓ１０７の処理が行われた場合、表示部１０７は、ブラックアウトを発生させることなく、表示用画像（ＬＶ画像）の表示後に撮影画像（記録用画像（ＣＡＰ画像））が行われることになる。
【０２０１】
（ステップＳ１０５）
次に、ステップＳ１０２において、露光期間がしきい値（規定時間）以上であると判定した場合のステップＳ１０５以下の処理について説明する。
この場合、制御部１１０は、ステップＳ１０５において、表示部１０７のブラックアウト処理を実行するとともに露光準備処理を開始し、露光準備処理完了後に、撮影画像（記録用画像（ＣＡＰ画像））の露光を開始する。
【０２０２】
これは、先に図１０を参照して説明した実施例５のブラックアウトを伴う処理である。この処理は、撮影画像（記録用画像（ＣＡＰ画像））の露光期間が規定時間以上である場合にのみ実行される。
このブラックアウトを行う理由の一つは、撮影画像（記録用画像（ＣＡＰ画像））の露光期間が長い場合に実施例１〜４の処理を行うと、表示用画像（ＬＶ画像）が長期間、静止画として表示されてしまい、ユーザ（撮影者）が撮影画像と勘違いするといった誤認処理が起こる可能性があり、これを回避するためである。
【０２０３】
（ステップＳ１０６）
ステップＳ１０５において、露光準備処理が完了して撮影画像（記録用画像（ＣＡＰ画像））の露光が開始されると、次にステップＳ１０６において、撮影画像（記録用画像（ＣＡＰ画像））の露光処理とフレームメモリ１０４への格納処理が完了したか子中を判定する。
完了したと判定した場合に、ステップＳ１０７に進む。
【０２０４】
（ステップＳ１０７）
ステップＳ１０７では、フレームメモリ１０４に格納された撮影画像（記録用画像（ＣＡＰ画像））を読み出して表示部１０７に表示する。
【０２０５】
このステップＳ１０５〜Ｓ１０６〜Ｓ１０７の処理が行われた場合、表示部１０７は、表示用画像（ＬＶ画像）の表示が停止されブラックアウトを発生させた後に、撮影画像（記録用画像（ＣＡＰ画像））が行われることになる。
【０２０６】
［６．その他の実施例について］
次に、その他の実施例について説明する。
先に図４を参照して本開示の処理を実行する撮像装置の一例について説明した。
本開示の処理は、図４に示す撮像装置１００の構成と異なる構成を有する撮像装置においても適用可能である。
【０２０７】
図１２に本開示の処理を実行可能な図４に示す構成とは異なる構成を有する撮像装置２００の構成例を示す。
図１２に示す撮像装置２００は、光学レンズ１０１、撮像素子デバイス２１０、信号処理部（信号処理ＬＳＩ）１０５、メモリ１０６、表示部（ＬＣＤ／ＥＶＦ）１０７、記録部１０８、操作部１０９、制御部１１０を有する。
撮像素子デバイス２１０以外の構成は、先に図４を参照して説明した構成と同様である。
【０２０８】
図１２に示す撮像装置２００の撮像素子デバイス２１０は、撮像素子２１１、ＡＤ変換部２１２、フレームメモリ２１３を有する。
光学レンズ１０１を介して入射される光は撮像素子デバイス２１０の撮像素子２１１、例えばＣＭＯＳイメージセンサなどによって構成される撮像素子２１１に入射し、撮像素子２１１は、光電変換による画像データを同じ撮像デバイス２１０内に構成されたＡＤ変換部２１２に出力する。
【０２０９】
撮像デバイス２１０内のＡＤ変換部２１２は、入力信号のＡ／Ｄ変換、すなわちアナログ信号をデジタル信号に変換する処理を実行して、変換後のデジタル値を、同じ撮像デバイス２１０内に構成されたフレームメモリ２１３に格納する。
【０２１０】
フレームメモリ２１３は、２つの画像フレームを格納可能な構成であり、第１フレームメモリ（ＦＭ１）２５１、第２フレームメモリ（ＦＭ２）２５２を有する。これらの２つのフレームメモリに、交互に画像が格納される。
これらの２つのフレームメモリから、撮影順に画像データが信号処理部（信号処理ＬＳＩ）１０５に出力される。
【０２１１】
信号処理部（信号処理ＬＳＩ）１０５は、フレームメモリ２１３から画像データを入力して信号処理を行う。
以下の処理は、先に図４を参照して説明した撮像装置１００の処理と同様の処理となる。
【０２１２】
図１２に示す撮像装置２００は、撮像素子２１１、ＡＤ変換部２１２、フレームメモリ２１３を有する撮像デバイス２１０を有する点が特徴である。
この撮像デバイス２１０には、制御部１１０から制御信号、同期信号が入力され、同期信号に基づいて処理の開始、変更、終了等、更新処理が行われる。
【０２１３】
この図１２に示す構成においても、先に説明した図５〜図１１のタイミングチャートやフローチャートに従った処理を行うことが可能である。
【０２１４】
［７．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０２１５】
なお、本明細書において開示した技術は、以下のような構成をとることができる。
（１）  撮像素子と、
前記撮像素子が取得する表示用画像を格納するフレームメモリと、
前記フレームメモリが格納する前記表示用画像を表示する表示部と、
撮像操作の入力検出に応じて、記録用画像の露光準備処理を開始し、前記記録用画像の表示が可能となるまで、前記フレームメモリに格納済みの前記表示用画像を前記表示部に表示させる表示制御を行う制御部と、
を備える撮像装置。
【０２１６】
（２）  前記制御部は、前記記録用画像の露光準備処理の完了後に、前記撮像素子における前記記録用画像の露光処理と、該露光処理によって取得した前記記録用画像の前記フレームメモリへの格納処理を実行する（１）に記載の撮像装置。
【０２１７】
（３）  前記制御部は、
前記記録用画像の露光処理、および前記記録用画像の前記フレームメモリへの格納処理の終了後、前記表示部の表示画像を前記表示用画像から前記記録用画像の表示に切り換える（２）に記載の撮像装置。
【０２１８】
（４）  前記制御部は、
前記撮影操作の入力検出時に前記記録用画像の露光準備処理を開始するとともに、前記撮像素子における前記表示用画像の露光処理を停止させる（１）〜（３）いずれかに記載の撮像装置。
【０２１９】
（５）  前記制御部は、
前記撮影操作の入力検出時に前記撮像素子において露光中の前記表示用画像の露光完了に要する時間を待機する待機処理を実行し、待機完了後に前記記録用画像の露光準備処理を開始するとともに、
前記記録用画像の表示が可能となるまで、前記待機処理の間に露光され、前記フレームメモリに格納済みの前記表示用画像を前記表示部に表示させる表示制御を行う（１）〜（４）いずれかに記載の撮像装置。
【０２２０】
（６）  前記制御部は、
前記撮影操作の入力検出時から、１枚の表示用画像フレームの露光処理の完了に要する時間を待機する待機処理を実行し、待機処理後に前記記録用画像の露光準備処理を開始するとともに、
前記記録用画像の表示が可能となるまで、前記待機処理の間に露光され、前記フレームメモリに格納済みの前記表示用画像を前記表示部に表示させる表示制御を行う（１）〜（５）いずれかに記載の撮像装置。
【０２２１】
（７）  前記制御部は、
前記撮影操作の入力検出に応じて、前記撮影操作の入力前に実行済みの最新の表示予約処理をキャンセルする処理を行い、
キャンセル対象の表示予約処理以前の表示予約処理に対応して実行される前記表示部に対する表示用画像の表示処理を、前記記録用画像が表示可能となるまで継続することで前記表示部のブラックアウトを回避する表示制御を行う（１）〜（６）いずれかに記載の撮像装置。
【０２２２】
（８）  前記フレームメモリは、２つの画像フレームを格納可能な２つのフレームメモリを有する構成であり、
前記制御部は、
前記撮影操作の入力検出に応じて、前記２つのフレームメモリのいずれか一方のフレームメモリに格納された最新の表示用画像を、他方のフレームメモリにコピーして格納する処理を実行し、
前記記録用画像が表示可能となるまで、同一の表示用画像を前記２つのフレームメモリから交互に読み出して、前記表示部に表示することで前記表示部のブラックアウトを回避する表示制御を行う（１）〜（７）いずれかに記載の撮像装置。
【０２２３】
（９）  前記制御部は、
前記撮影操作に応じて前記撮像素子において実行される露光期間が、予め設定したしきい値以上であるか否かを判定し、
しきい値以上でないと判定した場合に、前記表示部のブラックアウトを回避する表示制御を行う（１）〜（８）いずれかに記載の撮像装置。
【０２２４】
（１０）  前記制御部は、
前記撮影操作に応じて前記撮像素子において実行される露光期間が、予め設定したしきい値以上であるか否かを判定し、
しきい値以上であると判定した場合は、前記表示部に、ブラックアウトを回避することなく、ブラックアウトを発生させる表示制御を行う（１）〜（９）いずれかに記載の撮像装置。
【０２２５】
（１１）  前記制御部は、
前記記録用画像の露光処理およびフレームメモリ格納処理の終了後、前記表示部をブラックアウト状態から前記記録用画像の表示に切り換える（１０）に記載の撮像装置。
【０２２６】
（１２）  前記撮像素子は、
前記撮像素子の出力信号に対するＡＤ変換処理を実行するＡＤ変換部と、
前記ＡＤ変換部の生成したデジタル信号を格納するフレームメモリを構成要素とする撮像デバイス内に構成されている（１）〜（１１）いずれかに記載の撮像装置。
【０２２７】
（１３）  撮像装置において実行する画像処理方法であり、
前記撮像装置は、
撮像素子と、
前記撮像素子による取得画像を格納するフレームメモリと、
前記フレームメモリの格納画像を表示する表示部と、
撮像装置において実行する処理の制御を行う制御部を有し、
前記制御部が、
撮影操作の入力検出に応じて、記録用画像の露光準備処理を開始し、前記記録用画像の表示が可能となるまで、前記フレームメモリに格納済みの表示用画像を前記表示部に表示させる表示制御を行う画像処理方法。
【０２２８】
（１４）  撮像装置において画像処理を実行させるプログラムであり、
前記撮像装置は、
撮像素子と、
前記撮像素子による取得画像を格納するフレームメモリと、
前記フレームメモリの格納画像を表示する表示部と、
撮像装置において実行する処理の制御を行う制御部を有し、
前記プログラムは、前記制御部に、
撮像操作の入力検出に応じて、記録用画像の露光準備処理を開始させ、前記記録用画像の表示が可能となるまで、前記フレームメモリに格納済みの前記表示用画像を前記表示部に表示させる表示制御を行わせるプログラム。
【０２２９】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０２３０】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０２３１】
以上、説明したように、本開示の一実施例の構成によれば、記録用画像の撮影時に、表示部のブラックアウトを回避する表示制御を行う装置、方法が実現される。
具体的には、例えば、撮像素子と、フレームメモリと、表示部と、制御部を有し、制御部は、撮像装置に対する撮影操作の入力検出に応じて、記録用画像の露光準備処理を開始し、露光準備処理の完了後に撮像素子における記録用画像の露光処理と、記録用画像のフレームメモリへの格納処理を実行する。さらに、制御部は、露光準備処理の開始に伴い、撮像素子の表示用画像の露光を停止させ、記録用画像が表示可能となるまで、表示部に表示用画像を表示してブラックアウトを回避する。
これらの処理により、記録用画像の撮影時に、表示部のブラックアウトを回避する表示制御を行う装置、方法が実現される。
【符号の説明】
【０２３２】
１１  光学レンズ
１２  撮像素子
１３  ＡＤ変換部
１４  フレームメモリ
１５  信号処理部
１６  メモリ
２１  表示部
２２  記録部
１０１  光学レンズ
１０２  撮像素子
１０３  ＡＤ変換部
１０４  フレームメモリ
１０５  信号処理部
１０６  メモリ
１０７  表示部
１０８  記録部
１０９  操作部
１１０  制御部
１２１  第１フレームメモリ（ＦＭ１）
１２２  第２フレームメモリ（ＦＭ２）
２００  撮像装置
２１０  撮像デバイス
２１１  撮像素子
２１２  ＡＤ変換部
２１３  フレームメモリ
２５１  第１フレームメモリ（ＦＭ１）
２５２  第２フレームメモリ（ＦＭ２）
【図１】
2018179711.tif 000003
【図２】
2018179711.tif 000004
【図３】
2018179711.tif 000005
【図４】
2018179711.tif 000006
【図５】
2018179711.tif 000007
【図６】
2018179711.tif 000008
【図７】
2018179711.tif 000009
【図８】
2018179711.tif 000010
【図９】
2018179711.tif 000011
【図１０】
2018179711.tif 000012
【図１１】
2018179711.tif 000013
【図１２】
2018179711.tif 000014
【国際調査報告】
2018179711.tif 000015
2018179711.tif 000016